(57)【特許請求の範囲】
【請求項１】
第１の基地局装置のプライマリセル含む第１のセルグループと、第２の基地局装置のプライマリセカンダリセルを含む第２のセルグループと、を用いて通信を行う端末装置であって、
制御部と、
第１のＭＡＣ制御要素を前記第１の基地局装置に送信する送信部と、
を備え、
前記プライマリセカンダリセルが追加され、物理上りリンク制御チャネル及び物理上りリンク共用チャネルが同じサブフレームで送信される第１の場合に、
前記制御部は、
パワーヘッドルームレポートがトリガされたと決定し、
前記プライマリセルにおける前記プライマリセルの第１のタイプのパワーヘッドルーム情報の第１の値を、前記プライマリセルにおいて計算し、前記プライマリセカンダリセルにおける前記プライマリセカンダリセルの第２のタイプのパワーヘッドルーム情報の第２の値を、前記プライマリセカンダリセルにおいて計算し、
前記第１のタイプのパワーヘッドルーム情報と前記第２のタイプのパワーヘッドルーム情報とを含む第１のＭＡＣ制御要素を生成する、
端末装置。
【請求項２】
前記第１の場合において、
前記プライマリセルと前記プライマリセカンダリセルに対応するセルインデックスは、ＲＲＣメッセージによって個別に設定され、
前記第１のタイプのパワーヘッドルーム情報と前記第２のタイプのパワーヘッドルーム情報とが報告されるセルを示す特定の値が、セルインデックスに対応するビットマップ情報のビットによって設定される、
請求項１に記載の端末装置。
【請求項３】
第１の基地局装置のプライマリセルを含む第１のセルグループと、第２の基地局装置のプライマリセカンダリセルを含む第２のセルグループと、を用いて通信する端末装置と通信する前記第１の基地局装置であって、
第１のＭＡＣ制御要素を前記端末装置から受信する受信部
を備え、
前記プライマリセカンダリセルが追加され、パワーヘッドルームレポートがトリガされ、物理上りリンク制御チャネル及び物理上りリンク共用チャネルが同じサブフレームで送信される第１の場合に、
前記受信部は、前記プライマリセルで計算された前記プライマリセルにおける前記プライマリセルの前記第１のタイプのパワーヘッドルーム情報の第１の値と、前記プライマリセカンダリセルで計算された前記プライマリセカンダリセルにおける前記プライマリセカンダリセルの前記第２のタイプのパワーヘッドルーム情報の第２の値とを含む第１のＭＡＣ制御要素を受信する、
基地局装置。
【請求項４】
第１の基地局装置のプライマリセル含む第１のセルグループと、第２の基地局装置のプライマリセカンダリセルを含む第２のセルグループと、を用いて通信を行う端末装置の制御方法であって、
第１のＭＡＣ制御要素を前記第１の基地局装置に送信する過程と、
前記プライマリセカンダリセルが追加され、物理上りリンク制御チャネル及び物理上りリンク共用チャネルが同じサブフレームで送信される第１の場合に、
パワーヘッドルームレポートがトリガされたと決定し、
前記プライマリセルにおける前記プライマリセルの第１のタイプのパワーヘッドルーム情報の第１の値を、前記プライマリセルにおいて計算し、前記プライマリセカンダリセルにおける前記プライマリセカンダリセルの第２のタイプのパワーヘッドルーム情報の第２の値を、前記プライマリセカンダリセルにおいて計算し、
前記第１のタイプのパワーヘッドルーム情報と前記第２のタイプのパワーヘッドルーム情報とを含む第１のＭＡＣ制御要素を生成する制御過程と、
を有する、
制御方法。
【請求項５】
前記第１の場合において、
前記プライマリセルと前記プライマリセカンダリセルに対応するセルインデックスは、ＲＲＣメッセージによって個別に設定され、
前記第１のタイプのパワーヘッドルーム情報と前記第２のタイプのパワーヘッドルーム情報とが報告されるセルを示す特定の値が、セルインデックスに対応するビットマップ情報のビットによって設定される、
請求項４に記載の制御方法。
【請求項６】
第１の基地局装置のプライマリセル含む第１のセルグループと、第２の基地局装置のプライマリセカンダリセルを含む第２のセルグループと、を用いて端末装置と通信する前記第１の基地局装置の制御方法であって、
第１のＭＡＣ制御要素を前記端末装置から受信する受信過程と、
前記プライマリセカンダリセルが追加され、パワーヘッドルームレポートがトリガされ、物理上りリンク制御チャネル及び物理上りリンク共用チャネルが同じサブフレームで送信される第１の場合に、
前記プライマリセルで計算された前記プライマリセルにおける前記プライマリセルの前記第１のタイプのパワーヘッドルーム情報の第１の値と、前記プライマリセカンダリセルで計算された前記プライマリセカンダリセルにおける前記プライマリセカンダリセルの前記第２のタイプのパワーヘッドルーム情報の第２の値とを含む第１のＭＡＣ制御要素を受信する受信過程と、
を有する、
制御方法。
【発明の詳細な説明】
【技術分野】
【０００１】
本発明の実施形態は、効率的に複数のセルを制御する端末装置、基地局装置、通信システム、制御方法および集積回路の技術に関する。
本願は、２０１４年３月６日に、日本に出願された特願２０１４−０４３６８４号に基づき優先権を主張し、その内容をここに援用する。
【背景技術】
【０００２】
標準化プロジェクトである３ＧＰＰ（3rd Generation Partnership Project）において、ＯＦＤＭ（Orthogonal Frequency-Division Multiplexing）通信方式やリソースブロックと呼ばれる所定の周波数・時間単位の柔軟なスケジューリングの採用によって、高速な通信を実現させたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降EUTRAと称する）の標準化が行なわれた。【０００３】
また、３ＧＰＰでは、より高速なデータ伝送を実現するＡｄｖａｎｃｅｄ  ＥＵＴＲＡの検討を行っている（ＬＴＥ  Ａｄｖａｎｃｅｄとも称する）。ＥＵＴＲＡでは、基地局装置がほぼ同一のセル構成（セルサイズ）から成るネットワークを前提とした通信システムであったが、Ａｄｖａｎｃｅｄ  ＥＵＴＲＡでは、異なる構成の基地局装置（セル）が同じエリアに混在しているネットワーク（異種無線ネットワーク、ヘテロジニアスネットワーク（Ｈｅｔｅｒｏｇｅｎｅｏｕｓ  Ｎｅｔｗｏｒｋ））を前提とした通信システムの検討が行われている。【０００４】
ヘテロジニアスネットワークのように、セル半径の大きいセル（マクロセル）と、セル半径がマクロセルよりも小さいセル（スモールセル）とが配置される通信システムにおいて、端末装置が、マクロセルとスモールセルとに同時に接続して通信を行う技術（Ｄｕａｌ  Ｃｏｎｎｅｃｔｉｖｉｔｙ（デュアルコネクティビティ、双対接続性））について検討されている（非特許文献１）。【０００５】
非特許文献１において、端末装置がセル半径（セルサイズ）の大きいセル（マクロセル）とセル半径の小さいセル（スモールセル）との間でデュアルコネクティビティを実現しようとするとき、マクロセルとスモールセル間のバックボーン回線（Ｂａｃｋｈａｕｌ（バックホール））が低速であり、遅延が発生することを前提としたネットワークでの検討が進められている。すなわち、マクロセルとスモールセル間でやり取りされる制御情報またはユーザ情報が遅延することによって、デュアルコネクティビティにおいて従来では実現できていた機能が実現できない、または実現が困難となる可能性がある。【０００６】
例えば、従来はある１つの基地局装置が複数のセルのパケットスケジューリングについて集中的に制御していたが、バックボーン回線に遅延があるようなネットワークにおいて、このような集中制御を行うことは、無線状況を反映した最適なスケジューリングができない可能性がある。そのため、マクロセルの基地局装置とスモールセルの基地局装置との両方で動的なリソース割り当て機能を持たせることで、パケットスケジューリングを分散的に制御する方法が検討されている（非特許文献２）。
【先行技術文献】
【非特許文献】
【０００７】
【非特許文献１】Ｒ２−１３０４４４，ＮＴＴ  ＤＯＣＯＭＯ，  ＩＮＣ．，３ＧＰＰ  ＴＳＧ  ＲＡＮ２＃８１，Ｓｔ．  Ｊｕｌｉａｎ’ｓ，  Ｍａｌｔａ，  Ｊａｎｕａｒｙ  ２８ｔｈ  −  Ｆｅｂｒｕａｒｙ  １ｓｔ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８１／Ｄｏｃｓ／
【非特許文献２】Ｒ２−１３１７７８，  ＭｅｄｉａＴｅｋ  Ｉｎｃ．，３ＧＰＰ  ＴＳＧ  ＲＡＮ２＃８２，Ｆｕｋｕｏｋａ，  Ｊａｐａｎ，  Ｍａｙ  ２０ｔｈ  −  ２４ｔｈ，  ２０１３．ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿８２／Ｄｏｃｓ／
【発明の概要】
【発明が解決しようとする課題】
【０００８】
非特許文献２の例のように、基地局装置間で分散的なパケットスケジューリングを行うことによって、端末装置は、基地局装置間のバックボーン回線を介さずに直接フィードバック情報をそれぞれの基地局装置へ送信することができる。しかしながら、基地局装置が分散的なパケットスケジューリングを行うことによって、それぞれの基地局装置が他方の基地局装置が管理するセルの状態をリアルタイムに把握できない可能性がある。【０００９】
これは、例えば次のような問題が発生することを意味する。
（１）端末装置に対して通知されるセルの識別子（セルインデックス）について、同一の識別子が異なるセルに対して設定される可能性がある。
（２）（１）に関連して、同一の識別子が異なるセルに対して設定された場合、端末装置は識別子を用いたセルに関する報告が正しく行えない。
（３）（１）に関連して、同一の識別子が異なるセルに対して設定されないように保証する仕組みについて検討されていない。
（４）（３）に関連して、同一の識別子が異なるセルに対して設定されないように保証された場合の、端末装置に対する識別子を用いたセルに関する制御について検討されていない。【００１０】
本発明の実施形態は、効率的に複数のセルを制御することが可能な端末装置、基地局装置、通信システム、制御方法および集積回路に関する技術を提供することによって上記の課題の少なくとも１つを解決することを目的とする。
【課題を解決するための手段】
【００１１】
上記の目的を達成するために以下のような手段を講じた。すなわち、本発明の実施形態における端末装置は、複数のセルを用いる端末装置であって、プライマリセルを含む第１の基地局装置のセルグループと、プライマリセカンダリセルを含む第２の基地局装置のセルグループとにグループ化し、前記プライマリセカンダリセルが追加された場合に、パワーヘッドルーム報告がトリガされたと判断し、少なくとも前記プライマリセルと前記プライマリセカンダリセルのパワーヘッドルームを含むＭＡＣ制御要素を生成し、前記ＭＡＣ制御要素を送信する端末装置である。【００１２】
また、本発明の実施形態における端末装置は、物理上りリンク制御チャネルと物理上りリンク共用チャネルをある同じサブフレームで送信する場合に報告される異なるタイプのパワーヘッドルームを、前記プライマリセルと前記プライマリセカンダリセルに対してそれぞれ計算し、それぞれの前記異なるタイプのパワーヘッドルームを前記ＭＡＣ制御要素に含めて送信してもよい。【００１３】
このような手段を用いることによって、端末装置は、効率的に複数のセルを制御することができる。【００１４】
また、本発明の実施形態における端末装置は、前記プライマリセカンダリセル、および、前記パワーヘッドルームを報告するセカンダリセルに対応するセルインデックスがＲＲＣメッセージによって個別に設定され、パワーヘッドルームを報告するセルを示すために、前記セルインデックスに対応したビットマップ情報のビットに特定の値を設定してもよい。【００１５】
また、本発明の実施形態における基地局装置は、複数のセルを用いる端末装置と通信する基地局装置であって、プライマリセルを含む第１の基地局装置のセルグループと、プライマリセカンダリセルを含む第２の基地局装置のセルグループのそれぞれのセルに割り当てるセルインデックスの情報をＲＲＣメッセージによって前記端末装置に対して個別に通知し、前記プライマリセカンダリセルを追加した場合に前記端末装置によってトリガされるパワーヘッドルーム報告を受信し、受信した前記パワーヘッドルーム報告に含まれる前記セルインデックスに対応したビットマップ情報に基づいて、前記プライマリセカンダリセル、および、パワーヘッドルームを報告したセカンダリセルのパワーヘッドルームを受信する基地局装置である。【００１６】
このような手段を用いることによって、基地局装置は、効率的に複数のセルを制御することができる。【００１７】
また、本発明の実施形態における通信システムは、複数のセルを用いる端末装置と、前記端末装置と通信する基地局装置から構成される通信システムであって、前記基地局装置は、プライマリセルを含む第１の基地局装置のセルグループと、プライマリセカンダリセルを含む第２の基地局装置のセルグループのそれぞれのセルに割り当てるセルインデックスの情報をＲＲＣメッセージによって前記端末装置に対して個別に通知し、前記端末装置は、前記複数のセルを前記ＲＲＣメッセージに基づき前記第１の基地局装置のセルグループと前記第２の基地局装置のセルグループとにグループ化し、前記プライマリセカンダリセルが追加された場合に、パワーヘッドルーム報告がトリガされたと判断し、少なくとも前記プライマリセルと前記プライマリセカンダリセルのパワーヘッドルームを含むＭＡＣ制御要素を生成し、前記ＭＡＣ制御要素を送信する通信システムである。【００１８】
このような手段を用いることによって、端末装置と基地局装置から構成される通信システムにおいて、効率的に複数のセルを制御する端末装置と基地局装置を提供することができる。【００１９】
また、本発明の実施形態における制御方法は、複数のセルを用いる端末装置の制御方法であって、プライマリセルを含む第１の基地局装置のセルグループと、プライマリセカンダリセルを含む第２の基地局装置のセルグループとにグループ化するステップと、前記プライマリセカンダリセルが追加された場合に、パワーヘッドルーム報告がトリガされたと判断するステップと、少なくとも前記プライマリセルと前記プライマリセカンダリセルのパワーヘッドルームを含むＭＡＣ制御要素を生成し、前記ＭＡＣ制御要素を送信するステップとを少なくとも含む制御方法である。【００２０】
このような手段を用いることによって、端末装置は、効率的に複数のセルを制御する制御方法を備えることができる。【００２１】
また、本発明の実施形態における制御方法は、物理上りリンク制御チャネルと物理上りリンク共用チャネルをある同じサブフレームで送信する場合に報告される異なるタイプのパワーヘッドルームを、前記プライマリセルと前記プライマリセカンダリセルに対してそれぞれ計算するステップと、それぞれの前記異なるタイプのパワーヘッドルームを前記ＭＡＣ制御要素に含めて送信するステップをさらに備えてもよい。【００２２】
また、本発明の実施形態における制御方法は、前記プライマリセカンダリセル、および、前記パワーヘッドルームを報告するセカンダリセルに対応するセルインデックスがＲＲＣメッセージによって個別に設定され、パワーヘッドルームを報告するセルを示すために、前記セルインデックスに対応したビットマップ情報のビットに特定の値を設定するステップをさらに備えてもよい。【００２３】
また、本発明の実施形態における制御方法は、複数のセルを用いる端末装置と通信する基地局装置の制御方法であって、プライマリセルを含む第１の基地局装置のセルグループと、プライマリセカンダリセルを含む第２の基地局装置のセルグループのそれぞれのセルに割り当てるセルのセルインデックスの情報をＲＲＣメッセージによって前記端末装置に対して個別に通知するステップと、前記プライマリセカンダリセルを追加した場合に前記端末装置によってトリガされるパワーヘッドルーム報告を受信するステップと、受信した前記パワーヘッドルーム報告に含まれる前記セルインデックスに対応したビットマップ情報に基づいて、前記プライマリセカンダリセル、および、パワーヘッドルームを報告したセカンダリセルのパワーヘッドルームを受信するステップを少なくとも備える制御方法である。【００２４】
このような手段を用いることによって、基地局装置は、効率的に複数のセルを制御する制御方法を備えることができる。【００２５】
また、本発明の実施形態における集積回路は、複数のセルを用いる端末装置に実装される集積回路であって、プライマリセルを含む第１の基地局装置のセルグループと、プライマリセカンダリセルを含む第２の基地局装置のセルグループとにグループ化する機能と、前記プライマリセカンダリセルが追加された場合に、パワーヘッドルーム報告がトリガされたと判断する機能と、少なくとも前記プライマリセルと前記プライマリセカンダリセルのパワーヘッドルームを含むＭＡＣ制御要素を生成し、前記ＭＡＣ制御要素を送信する機能とを、少なくとも前記端末装置に対して発揮させる集積回路である。【００２６】
このような手段を用いることによって、端末装置の集積回路は、効率的に複数のセルを制御する機能を端末装置に発揮させることができる。【００２７】
また、本発明の実施形態における集積回路は、複数のセルを用いる端末装置と通信する基地局装置の集積回路であって、プライマリセルを含む第１の基地局装置のセルグループと、プライマリセカンダリセルを含む第２の基地局装置のセルグループのそれぞれのセルに割り当てるセルインデックスの情報をＲＲＣメッセージによって前記端末装置に対して個別に通知する機能と、前記プライマリセカンダリセルを追加した場合に前記端末装置によってトリガされるパワーヘッドルーム報告を受信する機能と、受信した前記パワーヘッドルーム報告に含まれる前記セルインデックスに対応したビットマップ情報に基づいて、前記プライマリセカンダリセル、および、パワーヘッドルームを報告したセカンダリセルのパワーヘッドルームを受信する機能とを、少なくとも前記基地局装置に対して発揮させる集積回路である。  【００２８】
このような手段を用いることによって、基地局装置の集積回路は、効率的に複数のセルを制御する機能を基地局装置に発揮させることができる。【００２９】
本明細書では、効率的に複数のセルを制御する端末装置、基地局装置、通信システム、制御方法および集積回路に関する技術という点において各実施形態を開示するが、各実施形態に対して適用可能な通信方式は、ＥＵＴＲＡまたはＡｄｖａｎｃｅｄ  ＥＵＴＲＡのようにＥＵＴＲＡと互換性のある通信方式に限定されるものではない。【００３０】
例えば、本明細書で述べられる技術は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、シングルキャリアＦＤＭＡ（ＳＣ−ＦＤＭＡ）、およびその他のアクセス方式等を用いた、種々の通信システムにおいて使用され得る。また、本明細書において、システムとネットワークは同義的に使用され得る。
【発明の効果】
【００３１】
本発明の実施形態によれば、効率的に複数のセルを制御することが可能な端末装置、基地局装置、通信システム、制御方法および集積回路に関する技術を提供することが出来る。
【図面の簡単な説明】
【００３２】
【図１】本発明の実施形態に係る端末装置の概略構成の一例を示すブロック図である。
【図２】本発明の実施形態に係る基地局装置の概略構成の一例を示すブロック図である。
【図３】本発明の第１の実施形態に係るセルの割り当て手順を示すシーケンスチャート図の一例である。
【図４】本発明の第１の実施形態に係るセルインデックスの割り当ての一例を示す図である。
【図５】本発明の第１の実施形態に係るパワーヘッドルームの報告手順を示すシーケンスチャート図の一例である。
【図６】本発明の第１の実施形態に係るパワーヘッドルームの報告形式の一例を説明するための図である。
【図７】本発明の第１の実施形態に係るセルの活性化／不活性化の手順を示すシーケンスチャート図の一例である。
【図８】本発明の第２の実施形態に係るセルインデックスの割り当ての一例を示す図である。
【図９】本発明の第２の実施形態に係るパワーヘッドルームの報告形式の一例を説明するための図である。
【図１０】本発明の第２の実施形態に係るパワーヘッドルームの報告形式の別の一例を説明するための図である。
【図１１】従来のセカンダリセルの活性化／不活性化の制御に用いる制御要素のフィーマットの一例を示す図である。
【図１２】本発明の実施形態に係るデュアルコネクティビティのアーキテクチャーの一例を示す図である。
【図１３】従来のパワーヘッドルームの報告に用いる制御要素のフィーマットの一例を示す図である。
【発明を実施するための形態】
【００３３】
本発明の各実施形態に関わる技術について以下に簡単に説明する。
【００３４】
[物理チャネル／物理シグナル]
ＥＵＴＲＡおよびＡｄｖａｎｃｅｄ  ＥＵＴＲＡで使用される主な物理チャネル、物理シグナルについて説明を行なう。チャネルとは信号の送受信に用いられる媒体を意味し、物理チャネルとは信号の送受信に用いられる物理的な媒体を意味する。本発明において、物理チャネルは、信号と同義的に使用され得る。物理チャネルは、ＥＵＴＲＡ、およびＡｄｖａｎｃｅｄ  ＥＵＴＲＡにおいて、今後追加、または、その構造やフォーマット形式が変更または追加される可能性があるが、変更または追加された場合でも本発明の各実施形態の説明には影響しない。
【００３５】
ＥＵＴＲＡおよびＡｄｖａｎｃｅｄ  ＥＵＴＲＡでは、物理チャネルまたは物理シグナルのスケジューリングについて無線フレームを用いて管理している。１無線フレームは１０ｍｓであり、１無線フレームは１０サブフレームで構成される。さらに、１サブフレームは２スロットで構成される（すなわち、１サブフレームは１ｍｓ、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３６】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。端末装置は、セルサーチによって受信した同期シグナルの物理セルＩＤを特定する。
【００３７】
物理報知情報チャネル（PBCH; Physical Broadcast Channel）は、セル内の端末装置で共通に用いられる制御パラメータ（報知情報（システム情報）；System information）を通知（設定）する目的で送信される。物理報知情報チャネルで通知されない報知情報は、物理下りリンク制御チャネルで報知情報が送信される無線リソースがセル内の端末装置に対して通知され、通知された無線リソースにおいて、物理下りリンク共用チャネルによって報知情報を通知するレイヤ３メッセージ（システムインフォメーション）が送信される。
【００３８】
報知情報として、セル個別の識別子を示すセルグローバル識別子（CGI; Cell Global Identifier）、ページングによる待ち受けエリアを管理するトラッキングエリア識別子（TAI; Tracking Area Identifier）、ランダムアクセス設定情報、送信タイミング調整情報、当該セルにおける共通無線リソース設定情報、周辺セル情報、上りリンクアクセス制限情報などが通知される。
【００３９】
下りリンクリファレンスシグナルは、その用途によって複数のタイプに分類される。例えば、セル固有ＲＳ（Cell-specific reference signals）は、セル毎に所定の電力で送信されるパイロットシグナルであり、所定の規則に基づいて周波数領域および時間領域で周期的に繰り返される下りリンクリファレンスシグナルである。端末装置は、セル固有ＲＳを受信することでセル毎の受信品質を測定する。また、端末装置は、セル固有ＲＳと同時に送信される物理下りリンク制御チャネル、または物理下りリンク共用チャネルの復調のための参照用の信号としてもセル固有ＲＳを使用する。セル固有ＲＳに使用される系列は、セル毎に識別可能な系列が用いられる。
【００４０】
また、下りリンクリファレンスシグナルは下りリンクの伝搬路変動の推定にも用いられる。伝搬路変動の推定に用いられる下りリンクリファレンスシグナルのことをチャネル状態情報リファレンスシグナル（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌｓ；ＣＳＩ−ＲＳ）と称する。また、端末装置に対して個別に設定される下りリンクリファレンスシグナルは、ＵＥ  ｓｐｅｃｉｆｉｃ  Ｒｅｆｅｒｅｎｃｅ  Ｓｉｇｎａｌｓ（ＵＲＳ）、Ｄｅｍｏｄｕｌａｔｉｏｎ  Ｒｅｆｅｒｅｎｃｅ  Ｓｉｇｎａｌ（ＤＭＲＳ）またはＤｅｄｉｃａｔｅｄ  ＲＳ（ＤＲＳ）と称され、物理下りリンク制御チャネル、拡張物理下りリンク制御チャネル、または物理下りリンク共用チャネルを復調するときのチャネルの伝搬路補償処理のために参照される。
【００４１】
物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）は、各サブフレームの先頭からいくつかのＯＦＤＭシンボル（例えば１〜４ＯＦＤＭシンボル）で送信される。拡張物理下りリンク制御チャネル（ＥＰＤＣＣＨ；  Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）は、物理下りリンク共用チャネルＰＤＳＣＨが配置されるＯＦＤＭシンボルに配置される物理下りリンク制御チャネルである。ＰＤＣＣＨまたはＥＰＤＣＣＨは、端末装置に対して基地局装置のスケジューリングに従った無線リソース割り当て情報や、送信電力の増減の調整量を指示する情報を通知する目的で使用される。以降、単に物理下りリンク制御チャネル（ＰＤＣＣＨ）と記載した場合、特に明記がなければ、ＰＤＣＣＨとＥＰＤＣＣＨの両方の物理チャネルを意味する。
【００４２】
端末装置は、下りリンクデータや下りリンク制御データであるレイヤ２メッセージおよびレイヤ３メッセージ（ページング、ハンドオーバーコマンドなど）を送受信する前に自装置宛の物理下りリンク制御チャネルを監視（モニタ）し、自装置宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＦＤＭシンボルで送信される以外に、基地局装置から端末装置に対して個別（ｄｅｄｉｃａｔｅｄ）に割り当てられるリソースブロックの領域で送信されるように構成することも可能である。
【００４３】
物理上りリンク制御チャネル（PUCCH; Physical Uplink Control Channel）は、物理下りリンク共用チャネルで送信された下りリンクデータの受信確認応答（ＡＣＫ／ＮＡＣＫ；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクの伝搬路（チャネル状態）情報（ＣＳＩ；Ｃｈａｎｎｅｌ  Ｓｔａｔｅ  Ｉｎｆｏｒｍａｔｉｏｎ）、上りリンクの無線リソース割り当て要求（無線リソース要求、スケジューリングリクエスト（ＳＲ；Ｓｃｈｅｄｕｌｉｎｇ  Ｒｅｑｕｅｓｔ））を行なうために使用される。
【００４４】
ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記されてもよい。
【００４５】
物理下りリンク共用チャネル（PDSCH; Physical Downlink Shared Channel）は、下りリンクデータの他、ページングや物理報知情報チャネルで通知されない報知情報（システムインフォメーション）をレイヤ３メッセージとして端末装置に通知するためにも使用される。物理下りリンク共用チャネルの無線リソース割り当て情報は、物理下りリンク制御チャネルで示される。物理下りリンク共用チャネルは物理下りリンク制御チャネルが送信されるＯＦＤＭシンボル以外のＯＦＤＭシンボルに配置されて送信される。すなわち、物理下りリンク共用チャネルと物理下りリンク制御チャネルは１サブフレーム内で時分割多重されている。
【００４６】
物理上りリンク共用チャネル（PUSCH; Physical Uplink Shared Channel）は、主に上りリンクデータと上りリンク制御データを送信し、ＣＳＩやＡＣＫ／ＮＡＣＫなどの制御データを含めることも可能である。また、上りリンクデータの他、上りリンク制御情報をレイヤ２メッセージおよびレイヤ３メッセージとして端末装置から基地局装置に通知するためにも使用される。また、下りリンクと同様に物理上りリンク共用チャネルの無線リソース割り当て情報は、物理下りリンク制御チャネルで示される。
【００４７】
上りリンクリファレンスシグナル（上りリンク参照信号；Uplink Reference Signal（上りリンクパイロット信号、上りリンクパイロットチャネルとも呼称する））は、基地局装置が、物理上りリンク制御チャネルＰＵＣＣＨおよび／または物理上りリンク共用チャネルＰＵＳＣＨを復調するために使用する復調参照信号（ＤＭＲＳ；Demodulation Reference Signal）と、基地局装置が、主に、上りリンクのチャネル状態を推定するために使用するサウンディング参照信号（ＳＲＳ；Sounding Reference Signal）が含まれる。また、サウンディング参照信号には、周期的に送信される周期的サウンディング参照信号（Ｐｅｒｉｏｄｉｃ  ＳＲＳ）と、基地局装置から指示されたときに送信される非周期的サウンディング参照信号（Ａｐｅｒｉｏｄｉｃ  ＳＲＳ）とがある。
【００４８】
物理ランダムアクセスチャネル（PRACH; Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。物理ランダムアクセスチャネルは、端末装置の基地局装置へのアクセス手段として用いられる。
【００４９】
端末装置は、物理上りリンク制御チャネル未設定時の上りリンクの無線リソース要求のため、または、上りリンク送信タイミングを基地局装置の受信タイミングウィンドウに合わせるために必要な送信タイミング調整情報（タイミングアドバンス（Ｔｉｍｉｎｇ  Ａｄｖａｎｃｅ；ＴＡ）とも呼ばれる）を基地局装置に要求するためなどに物理ランダムアクセスチャネルを用いる。また、基地局装置は、端末装置に対して物理下りリンク制御チャネルを用いてランダムアクセス手順の開始を要求することもできる。
【００５０】
レイヤ３メッセージは、端末装置と基地局装置のＲＲＣ（無線リソース制御）層でやり取りされる制御平面（ＣＰ（Ｃｏｎｔｒｏｌ−ｐｌａｎｅ、Ｃ−Ｐｌａｎｅ））のプロトコルで取り扱われるメッセージであり、ＲＲＣシグナリングまたはＲＲＣメッセージと同義的に使用され得る。なお、制御平面に対し、ユーザデータを取り扱うプロトコルのことをユーザ平面（ＵＰ（Ｕｓｅｒ−ｐｌａｎｅ、Ｕ−Ｐｌａｎｅ））と称する。
【００５１】
なお、それ以外の物理チャネルまたは物理シグナルは、本発明の各実施形態に関わらないため詳細な説明は省略する。説明を省略した物理チャネルまたは物理シグナルとして、物理制御フォーマット指示チャネル（PCFICH：Physical control format indicator channel）、物理ＨＡＲＱ指示チャネル（PHICH：Physical hybrid ARQ indicator channel）、物理マルチキャストチャネル（PMCH：Physical multicast channel）などがある。
【００５２】
[無線ネットワーク]
基地局装置によって制御される各周波数の通信可能範囲（通信エリア）はセルとしてみなされる。このとき、基地局装置がカバーする通信エリアは周波数毎にそれぞれ異なる広さ、異なる形状であってもよい。また、カバーするエリアが周波数毎に異なっていてもよい。基地局装置の種別やセル半径の大きさが異なるセルが、同一の周波数または異なる周波数のエリアに混在して一つの通信システムを形成している無線ネットワークのことを、ヘテロジニアスネットワークと称する。
【００５３】
端末装置は、かかるセルの中を通信エリアとみなして動作する。端末装置が、在圏しているセルから別のセルへ移動するときは、非無線接続時（非通信中）はセル再選択手順、無線接続時（通信中）はハンドオーバー手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【００５４】
基地局装置は端末装置が通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。スモールセルは、一般的に半径数メートルから数十メートルまでをカバーするセルである。また、スモールセルは、そのエリアの大きさに応じて、フェムトセル、ピコセル、ナノセルなどに分類されることもある。
【００５５】
端末装置がある基地局装置と通信可能であるとき、その基地局装置のセルのうち、端末装置とのキャンプ並びに通信に使用されるように設定されているセルは在圏セル（Serving cell）であり、その他の通信に使用されないセルは周辺セル（Neighboring cell）と称される。
【００５６】
[プライマリセル、セカンダリセル]
また、端末装置と基地局装置は、キャリア・アグリゲーションによって複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術を適用してもよい。キャリア・アグリゲーションにおいて、コンポーネントキャリアとして、上りリンクに対応する上りリンクコンポーネントキャリアと、下りリンクに対応する下りリンクコンポーネントキャリアとがある。本明細書において、周波数と周波数帯域は同義的に使用され得る。
【００５７】
例えば、キャリア・アグリゲーションによって周波数帯域幅が２０ＭＨｚのコンポーネントキャリアを５つ集約した場合、キャリア・アグリゲーションを可能な能力を持つ端末装置はこれらを１００ＭＨｚの周波数帯域幅とみなして送受信を行う。なお、集約するコンポーネントキャリアは連続した周波数であっても、全てまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。
【００５８】
また、端末装置と基地局装置は、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であってもよく、集約する周波数帯域幅が各々異なっていてもよい。周波数帯域幅は、後方互換性を考慮して従来のセルの周波数帯域幅のいずれかと等しいことが望ましいが、従来のセルの周波数帯域と異なる周波数帯域幅を用いてもよい。
【００５９】
キャリア・アグリゲーションによって、後方互換性のないコンポーネントキャリア（キャリアタイプ）を集約してもよい。この後方互換性のないコンポーネントキャリアのことを、ニューキャリアタイプ（ＮＣＴ）とも称する。なお、基地局装置が端末装置に割り当てる（設定する、追加する）上りリンクコンポーネントキャリアの数は、下りリンクコンポーネントキャリアの数と同じか少ないことが望ましい。
【００６０】
端末装置と基地局装置は、ある上りリンクコンポーネントキャリアと、かかる上りリンクコンポーネントキャリアとセル固有接続される下りリンクコンポーネントキャリアから構成されるセルを、プライマリセル（ＰＣｅｌｌ：Ｐｒｉｍａｒｙ  ｃｅｌｌ）として管理する。また、端末装置と基地局装置は、プライマリセル以外のコンポーネントキャリアから構成されるセルを、セカンダリセル（ＳＣｅｌｌ：Ｓｅｃｏｎｄａｒｙ  ｃｅｌｌ）として管理する。
【００６１】
端末装置は、プライマリセルにおいて、ページングメッセージの受信、報知情報の更新の検出、初期アクセス手順、セキュリティ情報の設定などを行う一方、セカンダリセルではこれらを行わないでもよい。プライマリセルとセカンダリセルとを合わせてサービングセル（在圏セル）と称する。
【００６２】
プライマリセルは活性化（アクティベーション（Ａｃｔｉｖａｔｉｏｎ））および不活性化（ディアクティベーション（Ｄｅａｃｔｉｖａｔｉｏｎ））の制御の対象外であるが（つまり、プライマリセルは必ず活性化しているとみなされる）、セカンダリセルは活性化と不活性化というアクティビティに応じたセルの状態（ｓｔａｔｅ）を持つ。セルの状態に関し、活性化されている状態をＡｃｔｉｖａｔｅｄ  ｓｔａｔｅ、不活性化されている状態をＤｅａｃｔｉｖａｔｅｄ  ｓｔａｔｅとも称する。セル（セカンダリセル）の状態は、基地局装置から明示的に状態の変更が指定（通知、指示）される場合もあるし、コンポーネントキャリア（セカンダリセル）毎に端末装置が計時するタイマー情報（セカンダリセル不活性化タイマー；ディアクティベーションタイマー）に基づいて状態が変更される場合もある。
【００６３】
セカンダリセルの活性化および／または不活性化に関する制御について説明する。基地局装置は、端末装置に対し、セカンダリセルの活性化および／または不活性化を示すコマンドを通知する。かかるコマンドは、ＭＡＣ層でデコード（エンコード）されるＭＡＣ  ＰＤＵ（Protocol data unit、データユニット）に含まれるＭＡＣ制御要素（ＭＡＣ−ＣＥ：MAC control element）として端末装置に送信される。
【００６４】
端末装置は、セカンダリセルの活性化および／または不活性化を示すＭＡＣ制御要素（Activation/Deactivation MAC control element）として、図１１のフォーマット（ビット構造（構成））によって通知される１オクテットのビット列（８ビット）を受信する。図中の「Ｒ」フィールドはリザーブビットであり、０（ゼロ）である。なお、図１１は、端末装置が活性化および／または不活性化した後のセカンダリセルの状態を示すコマンドであると解釈されてもよい。
【００６５】
また、「Ｃ（ｉ）」フィールドは、セカンダリセルの状態をそれぞれ活性化および／または不活性化に変更する指示情報を表すビットマップ情報である。ｉ（ｉ＝１〜７）はセカンダリセルの識別子（セルインデックス）を示す番号であり、基地局装置からセカンダリセルを設定する（割り当てる）際に端末装置に通知される。「Ｃ（ｉ）」フィールドが「１」である場合、端末装置は、インデックスｉに対応するセカンダリセルを活性化の状態にする。一方、「Ｃ（ｉ）」フィールドが「０（ゼロ）」である場合、端末装置は、インデックスｉに対応するセカンダリセルを不活性化の状態にする。インデックスｉに対応するセカンダリセルが端末装置に設定されていない場合、端末装置は、インデックスｉの値を無視する。
【００６６】
Ｃ（ｉ）フィールドにおいて、活性化しているセカンダリセルに対して活性化（すなわち、１）が設定された場合、および、不活性化しているセカンダリセルに対して不活性化（すなわち、０（ゼロ））が設定された場合、端末装置は該当するセルの状態は変更しない（状態を維持する）。
【００６７】
なお、キャリア・アグリゲーションは、複数のコンポーネントキャリア（周波数帯域）を用いた複数のセルによる通信であり、セル・アグリゲーションとも称される。なお、端末装置は、周波数毎にリレー局装置（またはリピーター）を介して基地局装置と無線接続されてもよい。すなわち、本発明の各実施形態の基地局装置は、リレー局装置に置き換えることも出来る。
【００６８】
[デュアルコネクティビティ]
図１２を用いてデュアルコネクティビティの基本構造（アーキテクチャー）について説明する。図１２は、端末装置１が、複数の基地局装置２（図中では基地局装置２−１、基地局装置２−２で示す）と同時に接続していることを示している。基地局装置２−１はマクロセルを構成する基地局装置であり、基地局装置２−２はスモールセルを構成する基地局装置であるとする。
【００６９】
このように、端末装置１が、複数の基地局装置２に属する複数のセルを用いて同時に接続することをデュアルコネクティビティと称し、デュアルコネクティビティを実現するための技術を用いて端末装置１と複数の基地局装置２とが接続することを、「デュアルコネクティビティを用いる」、「デュアルコネクティビティによる接続」、またはこれらと同義の表現を用いて説明する。各基地局装置２に属するセルは同じ周波数で運用されていてもよいし、異なる周波数で運用されていてもよい。
【００７０】
なお、キャリア・アグリゲーションは、複数のセルを一つの基地局装置２が管理し、各セルの周波数が異なるという点、および、複数のセル間が遅延の影響を考慮する必要がない高速なバックボーン回線である点がデュアルコネクティビティによる接続と異なる。換言すると、キャリア・アグリゲーションは、一つの端末装置１と一つの基地局装置２とを、周波数が異なる複数のセルを介して接続させる技術であるのに対し、デュアルコネクティビティは、一つの端末装置１と複数の基地局装置２とを、周波数が同じまたは異なる複数のセルを介して接続させる技術である。
【００７１】
端末装置１と基地局装置２は、キャリア・アグリゲーションに適用される技術を、デュアルコネクティビティに対して適用することができる。例えば、端末装置１と基地局装置２は、プライマリセルおよびセカンダリセルの管理（追加、削除、変更など）、キャリア・アグリゲーションに対応した測定方法および測定イベント設定、活性化／不活性化などの技術をデュアルコネクティビティにより接続されるセルに対して適用してもよい。
【００７２】
図１２において、基地局装置２−１または基地局装置２−２は、ＭＭＥ（Mobility Management Entity）とＳＧＷ（Ｓｅｒｖｉｎｇ  Ｇａｔｅｗａｙ）とバックボーン回線で接続されている。ＭＭＥはコアネットワークにおける制御局装置の一つであり、端末装置１の移動性管理や認証制御（セキュリティ制御）および基地局装置２に対するユーザデータの経路を設定する役割などを持つ。ＳＧＷはコアネットワークにおける制御局装置の一つであり、ＭＭＥによって設定された端末装置１へのユーザデータの経路に従ってユーザデータを伝送する役割などを持つ。
【００７３】
また、図１２において、基地局装置２−１または基地局装置２−２とＳＧＷ接続経路は、Ｓ１−Ｕインターフェースと称される。基地局装置２−１とＭＭＥの接続経路はＳ１−ＭＭＥインターフェースと称される。基地局装置２−１と基地局装置２−２の接続経路（基地局インターフェースＮ１０）は、ＥＵＴＲＡにおいてＸ２インターフェースとも称される。デュアルコネクティビティにおいて、基地局装置２−２を経由したＭＭＥと端末装置１との接続経路は設定されない。
【００７４】
ＭＭＥと接続される第１の基地局装置（基地局装置２−１）をマスター基地局装置（Ｍａｓｔｅｒ  ｅＮＢ）とも称し、マスター基地局装置ではない第２の基地局装置（基地局装置２−２）をセカンダリ基地局装置（Ｓｅｃｏｎｄａｒｙ  ｅＮＢ）とも称する。端末装置１とマスター基地局装置との接続に用いるセルのグループをマスターセルグループ（Ｍａｓｔｅｒ  Ｃｅｌｌ  Ｇｒｏｕｐ、ＭＣＧ）とも称し、端末装置１とセカンダリ基地局装置との接続に用いるセルのグループをセカンダリセルグループ（Ｓｅｃｏｎｄａｒｙ  Ｃｅｌｌ  Ｇｒｏｕｐ、ＳＣＧ）とも称する。
【００７５】
また、ＭＣＧに属するセルのことをＭＣＧセルとも称し、ＳＣＧに属するセルをＳＣＧセルとも称する。また、ＳＣＧセルのうち、物理上りリンク制御チャネルＰＵＣＣＨが設定され、プライマリセルに近い役割を果たすＳＣＧセルの中でも特別なＳＣＧセルのことをプライマリセカンダリセル（Ｐｒｉｍａｒｙ  ＳＣｅｌｌ（ＰＳＣｅｌｌ）、またはスペシャルセル）とも称する。例えば、プライマリセカンダリセルは、プライマリセルと同様に非活性化されず、物理上りリンク制御チャネルの設定がなされたり、コンテンションベースのランダムアクセス手順が実行されたりするセルである。
【００７６】
本技術はデュアルコネクティビティという名称で呼ばれるが、端末装置１と接続される基地局装置２の数が２つまでに限定されるというわけではなく、３つ以上の基地局装置２と接続することも可能である。
【００７７】
[パワーヘッドルーム]
パワーヘッドルーム（Ｐｏｗｅｒ  Ｈｅａｄrｏｏｍ、ＰＨ）とは、現在のサブフレームで物理上りリンク共用チャネル、または物理上りリンク共用チャネルと物理上りリンク制御チャネルを送信する場合に、かかるサブフレームにおける実際の送信（Ｒｅａｌ  Ｔｒａｎｓｍｉｓｓｉｏｎ）に基づいて計算された電力値、または、リファレンスフォーマットを用いた仮想的な送信（Ｖｉｒｔｕａｌ  Ｔｒａｎｓｍｉｓｓｉｏｎ）に基づいて計算された（推定）電力値と、端末装置の最大送信電力との差をセル毎に量子化した情報を用いて示すものであり、パワーヘッドルームが大きいほど端末装置のセル毎の上りリンクの送信に余裕がある（送信電力に余力がある）ことを意味する。
【００７８】
パワーヘッドルームは、端末装置においてＲＲＣ層から設定されたパラメータに基づいて物理層（レイヤ１）で計算され、ＭＡＣ層で管理される。また、物理層は、計算した各コンポーネントキャリアのパワーヘッドルームの値をＭＡＣ層に対して通知する。
【００７９】
端末装置は、パワーヘッドルームを基地局装置へ報告することによって、サブフレームあたりどれだけの送信電力を使用しているかを通知することができる。換言すれば、端末装置は、基地局装置に対して上りリンク送信電力にどれだけ余裕があるかを通知することができる。基地局装置は、端末装置からの報告されるパワーヘッドルームを用いることによって、適切なスケジューリングを行うことができる。例えば、基地局装置は、上りリンクのリソース割り当てや送信電力制御に関し、端末装置の最大送信電力を超えないように制御を行うことができる。
【００８０】
端末装置のＭＡＣ層は、以下のいずれかのトリガ条件が満たされた場合に、パワーヘッドルームの報告タイミングであると判断し、送信データの制御ヘッダー部分に含まれるＭＡＣ制御要素を用いてパワーヘッドルームを基地局装置に送信する。トリガ条件は、（１）ＰＨ報告禁止タイマー（Prohibit PHR timer）が停止しているときであって、在圏セルのパスロス値が前回ＰＨを報告したときよりも所定の値以上劣化したとき、（２）ＰＨ周期タイマー(Periodic PHR timer)が満了したとき、（３）パワーヘッドルームの設定が変更されたとき、（４）セカンダリセルが活性化されたとき、である。
【００８１】
Ａｄｖａｎｃｅｄ  ＥＴＵＲＡでは、パワーヘッドルームとして２種類の報告形式が規定されている。第１の報告形式（タイプ１ＰＨ）は、端末装置があるサブフレームにおいて物理上りリンク共用チャネルＰＵＳＣＨのみを送信可能な場合に適用される報告形式である。タイプ１ＰＨは、ＰＵＳＣＨを送信しているサブフレームとＰＵＳＣＨを送信していないサブフレームとで異なるＰＨの計算方法を使用する。
【００８２】
第２の報告形式（タイプ２ＰＨ）は、端末装置があるサブフレームにおいて物理上りリンク制御チャネルＰＵＣＣＨと物理上りリンク共用チャネルＰＵＳＣＨを同時に送信可能な場合に適用される報告形式である。タイプ２ＰＨは、ＰＵＣＣＨとＰＵＳＣＨを同時に送信しているサブフレーム、ＰＵＳＣＨのみを送信しているサブフレーム、ＰＵＣＣＨのみを送信しているサブフレームとでそれぞれ異なるパワーヘッドルームの計算方法を使用する。
【００８３】
端末装置は、単一のセルを用いた通信を行っている場合、かかるセルのパワーヘッドルームを計算し、基地局装置に対して第１の報告形式を用いてパワーヘッドルームを報告（通知、送信）する。端末装置は、複数のセルを用いた通信を行っている場合、設定されているセル毎にパワーヘッドルームを計算し、基地局装置に対して第２の報告形式を用いてパワーヘッドルームを報告（通知、送信）する。端末装置からパワーヘッドルームの報告が必要なセルは、プライマリセルおよび活性化されているセカンダリセルである。
【００８４】
図１３は、パワーヘッドルームがトリガされたときの、タイプ２ＰＨの報告に用いられる報告形式を示した図である。図１３における１行はそれぞれ１オクテット長（８ビット）に対応している。パワーヘッドルームがトリガされた場合、端末装置は、報告するセカンダリセルのセルインデックス（Ｃ（ｉ）、ｉ＝1、２、・・・、７）を含むビットマップ情報のフィールド、プライマリセルのタイプ２ＰＨのフィールド、プライマリセルのタイプ１ＰＨのフィールド、および、セカンダリセルのタイプ１ＰＨのフィールドをそれぞれＭＡＣ制御要素に含めて報告する。端末装置は、それぞれのセルのＰＨの報告と共にかかるセルのＮｏｍｉｎａｌ電力（Ｐｃｍａｘと称する）を報告してもよい。
【００８５】
セカンダリセルのタイプ１ＰＨのフィールドには、セルインデックスに対応するセカンダリセルのタイプ１ＰＨが昇順に設定される。例えば、セルインデックス＃１と、セルインデックス＃３が設定されたセカンダリセルのＰＨを報告する場合、１オクテット目のビットマップ情報のフィールドには、Ｃ（１）とＣ（３）のビットには「１」が設定され、Ｃ（２）、Ｃ（４）〜Ｃ（７）のビットにはそれぞれ「０」が設定される。また、セカンダリセルのタイプ１ＰＨのフィールドには、先にセカンダリセル＃１（Ｃ（１）に対応）のタイプＰＨ、次にセカンダリセル＃３（Ｃ（３）に対応）のタイプ１ＰＨが含まれる。
【００８６】
基地局装置は、端末装置から通知された端末装置能力（ＵＥ  Ｃａｐａｂｉｌｉｔｙ）に基づいて、タイプ１とタイプ２のＰＨの報告形式のどちらを用いるかについて、レイヤ３メッセージを用いて端末装置毎に設定する。
【００８７】
以上の事項を考慮しつつ、以下、添付図面を参照しながら本発明の適切な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００８８】
＜第１の実施形態＞
本発明の第１の実施形態について以下に説明する。
【００８９】
図１は、本発明の第１の実施形態による端末装置１の一例を示すブロック図である。本端末装置１は、受信部１０１、復調部１０２、復号部１０３、受信データ制御部１０４、物理レイヤ制御部１０５、送信データ制御部１０６、符号部１０７、変調部１０８、送信部１０９、無線リソース制御部１１０から少なくとも構成される。図中の「部」とは、セクション、回路、構成装置、デバイス、ユニットなど用語によっても表現される、端末装置１の機能および各手順を実現する要素である。
【００９０】
無線リソース制御部１１０は、端末装置１の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部１０４と送信データ制御部１０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【００９１】
なお、端末装置１は、キャリア・アグリゲーション、および／またはデュアルコネクティビティによる複数の周波数（周波数帯、周波数帯域幅）またはセルの同一サブフレーム内での受信処理をサポートするために受信系のブロック（受信部１０１、復調部１０２、復号部１０３）、および複数の周波数（周波数帯、周波数帯域幅）またはセルにおける同一サブフレーム内での送信処理をサポートするために送信系のブロック（符号部１０７、変調部１０８、送信部１０９）を複数備える構成であってもよい。
【００９２】
また、端末装置１は、受信データ制御部１０４、物理レイヤ制御部１０５、送信データ制御部１０６、無線リソース制御部１１０を対応する基地局装置毎に複数備えることが可能な構成であってもよい。すなわち、端末装置１は、プライマリ基地局装置に対応する物理層、ＭＡＣ層、ＲＬＣ層、ＰＤＣＰ層と、セカンダリ基地局装置に対応する物理層、ＭＡＣ層、ＲＬＣ層、ＰＤＣＰ層とをそれぞれ備える構成でもよい。ただし、この場合でも端末装置１が備えるＲＲＣ層は一つであることが望ましい。
【００９３】
端末装置１の受信処理に関し、無線リソース制御部１１０より受信データ制御部１０４へ受信データ制御情報が入力され、物理レイヤ制御部１０５には各ブロックを制御するための制御パラメータである物理レイヤ制御情報が入力される。物理レイヤ制御情報は、受信制御情報と送信制御情報によって構成される端末装置１の無線通信制御に必要なパラメータ設定を含む情報である。
【００９４】
物理レイヤ制御情報は、基地局装置２から端末装置１に対して個別（ｄｅｄｉｃａｔｅｄ）に送信される無線接続リソース設定、セル固有の報知情報、またはシステムパラメータなどによって設定され、無線リソース制御部１１０が必要に応じて物理レイヤ制御部１０５へ入力する。物理レイヤ制御部１０５は、受信に関する制御情報である受信制御情報を、受信部１０１、復調部１０２、復号部１０３へ適切に入力する。
【００９５】
受信制御情報は、下りリンクスケジューリング情報として、受信周波数帯域の情報、物理チャネルと物理シグナルに関する受信タイミング、多重方法、無線リソース制御情報などの情報が含まれている。また、受信データ制御情報は、セカンダリセル不活性化タイマー情報、ＤＲＸ制御情報、マルチキャストデータ受信情報、下りリンク再送制御情報などを含む下りリンクの制御情報であり、ＭＡＣ層、ＲＬＣ層、ＰＤＣＰ層におけるそれぞれの下りリンクに関する制御情報が含まれている。
【００９６】
受信信号は、受信部１０１において受信される。受信部１０１は、受信制御情報で通知された周波数と周波数帯域に従って基地局装置２からの信号を受信する。受信された信号は復調部１０２へと入力される。復調部１０２は信号の復調を行う。復調部１０２は、復号部１０３へと復調後の信号を入力する。復号部１０３は、入力された信号を復号し、復号された各データ（下りリンクデータと下りリンク制御データ、下りリンクトランスポートブロックとも称す）を受信データ制御部１０４へと入力する。また、各データと共に基地局装置２から送信されたＭＡＣ制御要素も復号部１０３で復号され、関係するデータは受信データ制御部１０４へと入力される。
【００９７】
受信データ制御部１０４は、受信したＭＡＣ制御要素に基づく物理レイヤ制御部１０５の制御（例えば、セルの活性化／不活性化、ＤＲＸ制御、送信タイミング調整など）や、復号された各データをバッファリングし、再送されたデータの誤り訂正制御（ＨＡＲＱ）を行う。受信データ制御部１０４へ入力された各データは、関係するデータは無線リソース制御部１１０へと入力（転送）される。
【００９８】
また、端末装置１の送信処理に関し、無線リソース制御部１１０より送信データ制御部１０６へ送信データ制御情報が入力され、物理レイヤ制御部１０５には各ブロックを制御するための制御パラメータである物理レイヤ制御情報が入力される。物理レイヤ制御部１０５は、送信に関する制御情報である送信制御情報を、符号部１０７、変調部１０８、送信部１０９へ適切に入力する。送信制御情報は、上りリンクスケジューリング情報として、符号化情報、変調情報、送信周波数帯域の情報、物理チャネルと物理シグナルに関する送信タイミング、多重方法、無線リソース配置情報などの情報が含まれている。
【００９９】
また、送信データ制御情報は、ＤＴＸ制御情報、ランダムアクセス設定情報、上りリンク共用チャネル情報、論理チャネルプライオリティ情報、リソース要求設定情報、セルグループ情報、上りリンク再送制御情報、パワーヘッドルーム報告情報などを含む上りリンクの制御情報である。無線リソース制御部１１０は、複数のセルにそれぞれ対応した複数のランダムアクセス設定情報を送信データ制御部１０６に設定してもよい。
【０１００】
また、無線リソース制御部１１０は、上りリンク送信タイミングの調整に用いる送信タイミング調整情報と送信タイミングタイマーを管理し、セル毎（またはセルグループ毎、ＴＡグループ毎）に上りリンク送信タイミングの状態（送信タイミング調整状態または送信タイミング非調整状態）を管理する。送信タイミング調整情報と送信タイミングタイマーは、送信データ制御情報に含まれる。
【０１０１】
なお、複数の上りリンク送信タイミングの状態を管理する必要がある場合、送信データ制御部１０６は、複数のそれぞれのセル（またはセルグループ、ＴＡグループ）の上りリンク送信タイミングに対応する送信タイミング調整情報を管理する。リソース要求設定情報には、少なくとも最大送信カウンタ設定情報と無線リソース要求禁止タイマー情報とが含まれている。無線リソース制御部１１０は、複数のセルにそれぞれ対応した複数のリソース要求設定情報を送信データ制御部１０６に設定してもよい。
【０１０２】
端末装置１で生起した送信データ（上りリンクデータと上りリンク制御データ、上りリンクトランスポートブロックとも称す）は、無線リソース制御部１１０より任意のタイミングで送信データ制御部１０６に入力される。このとき、送信データ制御部１０６は、入力された送信データの量（上りリンクバッファ量）を計算する。また、送信データ制御部１０６は、入力された送信データが制御平面に属するデータなのか、ユーザ平面に属するデータなのかを判別する機能を有する。
【０１０３】
また、送信データ制御部１０６は、送信データが入力されたときに、送信データ制御部１０６内（図示せず）の上りリンクバッファに送信データを格納する。そして、送信データ制御部１０６は、入力された送信データの送信に必要な無線リソースが端末装置１に対して割り当てられているかを判断する。送信データ制御部１０６は、無線リソース割り当てに基づいて、物理上りリンク共用チャネルＰＵＳＣＨ、物理上りリンク制御チャネル（ＳＲ−ＰＵＣＣＨ）を用いた無線リソース要求、または物理ランダムアクセスチャネルを用いた無線リソース要求のいずれか一つを選択し、選択したチャネルを送信するための制御処理を物理レイヤ制御部１０５に対して要求する。
【０１０４】
また、送信データ制御部１０６は、パワーヘッドルームの報告に関するトリガ条件が満たされたかどうかを判断し、パワーヘッドルームの報告がトリガされた場合に、物理層から通知されるセル（コンポーネントキャリア）毎のパワーヘッドルームの計算結果に基づいてパワーヘッドルーム報告に用いられるＭＡＣ制御要素を生成する。また、符号部１０７は、送信制御情報に従って各データを適切に符号化し、変調部１０８へと入力する。
【０１０５】
変調部１０８は、符号化された各データを送信するチャネル構造に基づいて適切な変調処理を行う。送信部１０９は、変調処理された各データを周波数領域にマッピングすると共に、周波数領域の信号を時間領域の信号へ変換し、既定の周波数の搬送波にのせて電力増幅を行う。送信部１０９は、また、無線リソース制御部１１０より入力されたセル毎（またセルグループ毎、ＴＡグループ毎）の送信タイミング調整情報に従って上りリンク送信タイミングを調整する。上りリンク制御データが配置される物理上りリンク共用チャネルは、ユーザデータの他に、例えばレイヤ３メッセージ（無線リソース制御メッセージ；ＲＲＣメッセージ）を含めることも可能である。
【０１０６】
図１において、その他の端末装置１の構成要素や、構成要素間のデータ（制御情報）の伝送経路については省略してあるが、端末装置１として動作するために必要なその他の機能を有する複数のブロックを構成要素として持つことは明らかである。例えば、無線リソース制御部１１０の上位には、コアネットワークとの制御を執り行うＮＡＳレイヤ部や、アプリケーションレイヤ部が存在している。
【０１０７】
図２は、本発明の第１の実施形態による基地局装置２の一例を示すブロック図である。本基地局装置は、受信部２０１、復調部２０２、復号部２０３、受信データ制御部２０４、物理レイヤ制御部２０５、送信データ制御部２０６、符号部２０７、変調部２０８、送信部２０９、無線リソース制御部２１０、ネットワーク信号送受信部２１１から少なくとも構成される。図中の「部」とは、セクション、回路、構成装置、デバイス、ユニットなどの用語によっても表現される、基地局装置２の機能および各手順を実行する要素である。
【０１０８】
無線リソース制御部２１０は、基地局装置２の無線リソース制御を執り行うＲＲＣ（Ｒａｄｉｏ  Ｒｅｓｏｕｒｃｅ  Ｃｏｎｔｒｏｌ）層の各機能を実行するブロックである。また、受信データ制御部２０４と送信データ制御部２０６は、データリンク層を管理するＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層における各機能を実行するブロックである。
【０１０９】
なお、基地局装置２は、キャリア・アグリゲーション、および／またはデュアルコネクティビティによる複数の周波数（周波数帯、周波数帯域幅）をサポートするために受信系のブロック（受信部２０１、復調部２０２、復号部２０３）、および送信系のブロック（符号部２０７、変調部２０８、送信部２０９）を複数備える構成であってもよい。また、受信データ制御部２０４、物理レイヤ制御部２０５、送信データ制御部２０６、無線リソース制御部２１０、ネットワーク信号送受信部２１１を複数備える構成であってもよい。
【０１１０】
無線リソース制御部２１０は、下りリンクデータと下りリンク制御データを送信データ制御部２０６へと入力する。送信データ制御部２０６は、端末装置１へ送信するＭＡＣ制御要素が存在する場合、ＭＡＣ制御要素と各データ（下りリンクデータまたは下りリンク制御データ）を符号部２０７へと入力する。符号部２０７は、入力されたＭＡＣ制御要素と各データを符号化し、変調部２０８へと入力する。変調部２０８は、符号化された信号の変調を行なう。
【０１１１】
また、変調部２０８で変調された信号は送信部２０９に入力される。送信部２０９は、入力された信号を周波数領域にマッピングした後、周波数領域の信号を時間領域の信号へ変換し、既定の周波数の搬送波にのせて電力増幅を行い送信する。下りリンク制御データが配置される物理下りリンク共用チャネルは、典型的にはレイヤ３メッセージ（ＲＲＣメッセージ）を構成する。
【０１１２】
また、受信部２０１は、端末装置１から受信した信号をベースバンドのデジタル信号に変換する。端末装置１に対して異なる複数の送信タイミングのセルを設定している場合、受信部２０１はセル毎（またセルグループ毎、ＴＡグループ毎）に異なるタイミングで信号を受信する。受信部２０１で変換されたデジタル信号は、復調部２０２へ入力されて復調される。復調部２０２で復調された信号は続いて復号部２０３へと入力される。復号部２０３は、入力された信号を復号し、復号された各データ（上りリンクデータと上りリンク制御データ）を受信データ制御部２０４へと入力する。また、各データと共に端末装置１から送信されたＭＡＣ制御要素も復号部２０３で復号され、関係するデータは受信データ制御部２０４へと入力される。
【０１１３】
受信データ制御部２０４は、受信したＭＡＣ制御要素に基づく物理レイヤ制御部２０５の制御（例えば、パワーヘッドルーム報告に関する制御、バッファステータス報告に関する制御など）や、復号された各データをバッファリングし、再送されたデータの誤り訂正制御（ＨＡＲＱ）を行う。受信データ制御部２０４へ入力された各データは、関係するデータは無線リソース制御部２１０へと入力（転送）される。
【０１１４】
これら各ブロックの制御に必要な物理レイヤ制御情報は、受信制御情報と送信制御情報によって構成される基地局装置２の無線通信制御に必要なパラメータ設定を含む情報である。物理レイヤ制御情報は、上位のネットワーク装置（ＭＭＥやゲートウェイ装置（ＳＧＷ）、ＯＡＭなど）やシステムパラメータにより設定され、無線リソース制御部２１０が必要に応じて制御部２０４へ入力する。
【０１１５】
物理レイヤ制御部２０５は、送信に関連する物理レイヤ制御情報を送信制御情報として符号部２０７、変調部２０８、送信部２０９の各ブロックに入力し、受信に関連する物理レイヤ制御情報を受信制御情報として受信部２０１、復調部２０２、復号部２０３の各ブロックに適切に入力する。
【０１１６】
受信データ制御情報は、基地局装置２のＭＡＣ層、ＲＬＣ層、ＰＤＣＰ層のそれぞれに対する端末装置１の上りリンクに関する制御情報が含まれている。また、送信データ制御情報は、基地局装置２のＭＡＣ層、ＲＬＣ層、ＰＤＣＰ層のそれぞれに対する端末装置１の下りリンクに関する制御情報が含まれている。すなわち、受信データ制御情報と送信データ制御情報は、端末装置１毎に設定されている。
【０１１７】
ネットワーク信号送受信部２１１は、基地局装置２間あるいは上位のネットワーク装置（ＭＭＥ、ＳＧＷ）と基地局装置２との間の制御メッセージ、またはユーザデータの送信（転送）または受信を行なう。図２において、その他の基地局装置２の構成要素や、構成要素間のデータ（制御情報）の伝送経路については省略してあるが、基地局装置２として動作するために必要なその他の機能を有する複数のブロックを構成要素として持つことは明らかである。例えば、無線リソース制御部２１０の上位には、無線リソース管理（Ｒａｄｉｏ  Ｒｅｓｏｕｒｃｅ  Ｍａｎａｇｅｍｅｎｔ）部や、アプリケーションレイヤ部が存在している。
【０１１８】
図３は、本発明の第１の実施形態におけるセカンダリセルの割り当て手順に関するシーケンスチャート図の一例を示したものである。
【０１１９】
図３において、端末装置１と基地局装置２は複数のセルを用いて接続されている状態である。また、基地局装置２は、基地局装置２−１と基地局装置２−２を含む。典型的には、基地局装置２−１はマクロセルを構成し、基地局装置２−２はスモールセルを構成する基地局装置２であるが、対応するセルの構成が限定されるわけではない。
【０１２０】
まず、マスター基地局装置である基地局装置２−１は、デュアルコネクティビティによる通信の開始を決定する。そして、セカンダリ基地局である基地局装置２−２のセル（セカンダリセルグループセル）を端末装置１に追加することを決定し、セカンダリセルグループ追加メッセージを生成して基地局装置２−２に送信する（ステップＳ１００）。
【０１２１】
基地局装置２−１は、セカンダリセルグループ追加メッセージに端末装置１の能力情報や追加の対象となるセル情報を含めて送信する。基地局装置２−１は、測定イベント報告またはＣＳＩ報告、セルの負荷状況などの情報のうち、一つまたは複数の組み合わせに基づいて追加対象となるセルを決定することができる。また、基地局装置２−１は、これ以外の情報を用いて追加対象となるセルを決定することもできる。
【０１２２】
このとき、基地局装置２−１は、端末装置１に設定しているセカンダリセルの識別子情報（セルインデックス情報、セルインデックス番号）を基地局装置２−２に通知してもよい。セカンダリセルのセルインデックス情報が通知されることによって、基地局装置２−２は、基地局装置２−１のセルのセルインデックスと異なるセルインデックス番号を割り当てることができる。
【０１２３】
または、基地局装置２−１は、端末装置１に対して予約しているセカンダリセルのセルインデックス情報（セルインデックス番号）の範囲を基地局装置２−２に通知してもよい。例えば、基地局装置２−１においてセルインデックス＃１〜＃４が使用可能（割り当て可能）であり、基地局装置２−２においてセルインデックス＃５〜＃７が使用可能であることを通知してもよい。また、例えば、基地局装置２−１においてセルインデックス＃１、＃２、＃４使用可能であり、基地局装置２−２においてセルインデックス＃３、＃５〜＃７が使用可能であることを通知してもよい。セカンダリセルのセルインデックス情報の範囲が通知されることによって、基地局装置２−２は、基地局装置２−１のセルのセルインデックスと異なるセルインデックス番号を割り当てることができる。
【０１２４】
基地局装置２−２は、セカンダリセルグループ追加メッセージを受信し、指定されたセルを端末装置１に対して設定（追加）可能であれば、セカンダリセルグループ追加許可メッセージを生成して基地局装置２−１に送信する（ステップＳ１０１）。このとき、基地局装置２−２は、セカンダリセルグループ追加許可メッセージに対し、少なくとも追加するセカンダリセルグループのセルに関する無線リソース設定（例えば、かかるセカンダリセルグループの報知情報、無線リソース共通設定、ランダムアクセス設定、物理上りリンク制御チャネル設定情報など）を含めて送信する。
【０１２５】
基地局装置２−１は、セカンダリセルグループ追加許可メッセージに含まれる無線リソース設定をＲＲＣ接続再設定メッセージに含めて端末装置１に送信する（ステップＳ１０２）。ＲＲＣ接続再設定メッセージには、追加するセカンダリセルグループのセルの設定が少なくとも一つ含まれている。ＲＲＣ接続再設定メッセージは、レイヤ３メッセージであり、例えばＲＲＣＣｏｎｎｅｃｔｉｏｎＲｅｃｏｎｆｉｇｕｒａｔｉｏｎメッセージである。
【０１２６】
図４は、第１の実施形態における、基地局装置２から端末装置１に通知されるセルインデックス（セルインデックス番号）の割り当ての一例を示す図である。上述したように、基地局装置２−１と基地局装置２−２との間で事前にセルインデックス情報をやり取りしているため、端末装置１に設定するセルインデックスは互いのセルグループ間で調整（コーディネート）されている。換言すると、端末装置１に設定されるＭＣＧとＳＣＧのセルのそれぞれに対し、異なるセルインデックスが割り当てられていることが保証されている。
【０１２７】
例えば、端末装置１に対し、ＭＣＧのセルとして、プライマリセルとセカンダリセル＃１とセカンダリセル＃２が設定され、ＳＣＧのセルとして、セカンダリセル＃３とセカンダリセル＃４が設定されている。なお、セカンダリセル＃３はプライマリセカンダリセルである。
【０１２８】
このとき、端末装置１に対し、セルインデックス番号として、プライマリセルにはセルインデックス＃０、セカンダリセル＃１にはセルインデックス＃１、セカンダリセル＃２にはセルインデックス＃２、セカンダリセル＃３にはセルインデックス＃３、セカンダリセル＃４にはセルインデックス＃４が設定されている。なお、プライマリセルのセルインデックスは、静的（static、fixed）にセルインデックス＃０が割り当てられる。
【０１２９】
また、基地局装置２は、プライマリセカンダリセルのセルインデックスを、端末装置１毎に個別に割り当てるのではなく、静的にセルインデックス＃１を割り当ててもよい。すなわち、デュアルコネクティビティにおいて、セルインデックス＃０とセルインデックス＃１は、それぞれプライマリセルとプライマリセカンダリセルに対して事前に予約されているとみなすことができる。
【０１３０】
この場合、基地局装置２は、端末装置１に対し、プライマリセカンダリセルのセルインデックス番号を明示的に通知しないでもよい。端末装置１は、セルインデックス＃１が割り当てられたＳＣＧセルをプライマリセカンダリセルとみなして制御を行ってもよい。
【０１３１】
このように、事前にマスター基地局装置とセカンダリ基地局装置との間で端末装置１に設定するセルインデックス番号の割り当てを調整した場合における、セルインデックス番号を用いたそれぞれの制御方法について、以下に詳細な説明を行う。
【０１３２】
＜ＰＨ報告＞
図１３で示したように、端末装置１は、セカンダリセルに関するＰＨを報告する場合、１オクテット目にセルインデックス番号を含める必要がある。ここで、セルインデックス番号がＭＣＧとＳＣＧで重複して割り当てられないことが保証されることにより、端末装置１は、従来の報告形式（フォーマット）を可能な限り利用することができるため、報告時のオーバーヘッドを減らすことができる。
【０１３３】
図５は、パワーヘッドルームの報告手順を示すシーケンスチャート図の一例である。図５のステップＳ２０１のＲＲＣ接続再設定メッセージは、図３のステップＳ１０２におけるセカンダリセルグループのセルの追加を指示するＲＲＣ接続再設定メッセージである。
【０１３４】
端末装置１は、ＲＲＣ接続再設定メッセージを受信し、ＲＲＣ接続再設定メッセージに含まれるセカンダリセルグループの設定情報に従って基地局装置２−２のセル（セカンダリセルグループ）を追加する（ステップＳ２０２）。このとき、基地局装置２−２に対応するＭＡＣ層とＲＬＣ層、ＰＤＣＰ層も設定（確立）される。追加されるセルは少なくともプライマリセカンダリセルが含まれる。
【０１３５】
プライマリセカンダリセルを追加した端末装置１は、パワーヘッドルーム報告をトリガする（ステップＳ２０３）。換言すれば、パワーヘッドルーム報告は、セカンダリ基地局装置（基地局装置２−２）に対応するＭＡＣ層が端末装置１において新規に確立（ｅｓｔａｂｌｉｓｈｍｅｎｔ）されたときにトリガされる。そして、端末装置１は、報告するパワーヘッドルームとして、セカンダリセルグループのセルを追加する前のＭＣＧのプライマリセルと、設定されていればＭＣＧの活性化しているセカンダリセルと、プライマリセカンダリセルとを、少なくともＭＡＣ制御要素に含める。
【０１３６】
また、端末装置１は、ＲＲＣ接続再設定メッセージによる処理が終了した場合、ＲＲＣ接続再設定完了メッセージを基地局装置２−１へ送信する。ＲＲＣ接続再設定完了メッセージは、レイヤ３メッセージであり、例えばＲＲＣＣｏｎｎｅｃｔｉｏｎＲｅｃｏｎｆｉｇｕｒａｔｉｏｎＣｏｍｐｌｅｔｅメッセージである。端末装置１は、ステップＳ２０３でトリガされたパワーヘッドルームについて、かかるＲＲＣ接続再設定完了メッセージに含まれて送信されてもよいし、以降の上りリンクリソース割り当て（上りリンクグラント）に基づいて送信される物理上りリンク共用データチャネルによって基地局装置２−１へ報告されてもよい。
【０１３７】
また、端末装置１は、ステップＳ２０３でトリガされたパワーヘッドルームについて、プライマリセカンダリセルにおけるランダムアクセス手順で送信される、物理上りリンク共用データチャネル（メッセージ３）によって基地局装置２−２へ送信されてもよいし、以降の上りリンクリソース割り当て（上りリンクグラント）に基づいて送信される物理上りリンク共用データチャネルによって基地局装置２−２へ報告されてもよい。
【０１３８】
図６は、端末装置１から基地局装置２（基地局装置２−１、基地局装置２−２）に送信されるＳＣＧセルのパワーヘッドルームの報告形式について説明するための図である。
【０１３９】
図６における１行はそれぞれ１オクテット長（８ビット）に対応している。パワーヘッドルームがトリガされた場合、端末装置１は、報告するプライマリセカンダリセルとＳＣＧのセカンダリセルのセルインデックス（Ｃ（ｉ）、ｉ＝1、２、・・・、７）を含むビットマップ情報のフィールド、プライマリセルのタイプ２ＰＨのフィールド、プライマリセルのタイプ１ＰＨのフィールド、プライマリセカンダリセルのタイプ２ＰＨのフィールド、プライマリセカンダリセルのタイプ１ＰＨのフィールド、および、活性化しているセカンダリセルのタイプ１ＰＨのフィールドを、それぞれ図６に示した順に配置して（含めて）ＭＡＣ制御要素を生成し、生成したＭＡＣ制御要素を基地局装置２へ送信することで、パワーヘッドルームを報告する。端末装置１は、それぞれのセルのパワーヘッドルームの報告と共にかかるセルのＮｏｍｉｎａｌ電力（Ｐｃｍａｘと称する）を報告してもよい。
【０１４０】
なお、端末装置１は、図６におけるプライマリセカンダリセルに対応するセルインデックスのビットマップ情報のフィールド（Ｃ（ｉ））にビットを設定しなくてもよい。すなわち、パワーヘッドルームを報告するセカンダリセルのセルインデックスを「１」に設定する場合、かかるプライマリセカンダリセルに対応するセルインデックスのビットマップ情報のフィールド（Ｃ（ｉ））を「０」に設定してもよい。例えば、プライマリセカンダリセルに対応するセルインデックスにセルインデックス＃３が設定されていた場合であっても、Ｃ（３）を「０」に設定してもよい。
【０１４１】
または、端末装置１は、図６におけるプライマリセカンダリセルに対応するセルインデックスのビットマップ情報のフィールド（Ｃ（ｉ））のビットをリザーブビット（Ｒ）であるとみなしてもよい。
【０１４２】
端末装置１は、デュアルコネクティビティによる通信において、パワーヘッドルームがトリガされた場合、従来のパワーヘッドルーム報告のＭＡＣ制御要素（図１３）に代えて、セカンダリプライマリセルのタイプ２ＰＨを含むパワーヘッドルーム報告のＭＡＣ制御要素（図６）を生成し、ＭＡＣ  ＰＤＵ内に配置して（含めて）送信する。
【０１４３】
また、基地局装置２は、デュアルコネクティビティによる通信において、端末装置１から送信されたＭＡＣ  ＰＤＵを受信し、かかるＭＡＣ  ＰＤＵ内にセカンダリプライマリセルのタイプ２ＰＨを含むＭＡＣ制御要素が配置されているとみなして受信する。
【０１４４】
＜アクティベーション／ディアクティベーション＞
図７は、セルの活性化／不活性化の手順を示すシーケンスチャート図の一例である。図７は、デュアルコネクティビティによって、端末装置１に対して基地局装置２−１のＭＣＧセルと基地局装置２−２のＳＣＧセルとが設定されている状態から開始される。
【０１４５】
基地局装置２−１は、端末装置１に設定されているＭＣＧセルのうち、セカンダリセルの活性化および／または不活性化を制御する。同様に、基地局装置２−２は、端末装置１に設定されているＳＣＧセルのうち、セカンダリセルの活性化および／または不活性化を通知する。すなわち、ＭＣＧセルを管理する基地局装置２−１は、ＳＣＧセルを管理する基地局装置２−２のセカンダリセルの活性化および／または不活性化を制御しない。また、ＳＣＧセルを管理する基地局装置２−２は、ＭＣＧセルを管理する基地局装置２−１のセカンダリセルの活性化および／または不活性化を制御しない。
【０１４６】
端末装置１は、受信したセルが属するセルグループのセカンダリセル（プライマリセカンダリセルを含む）についてのみセルの状態を制御する。換言すれば、活性化／不活性化を示すＭＡＣ制御要素に含まれるセルインデックスのうち、かかるセルグループに対応するセルインデックスのビットのみを考慮すればよい。
【０１４７】
図７の例では、基地局装置２−１は、ステップＳ３００において、ＭＣＧセルの中から活性化および／または不活性化の対象となるセルを決定する。このとき、基地局装置２−１は、基地局装置２−２におけるＳＣＧセルの状態については考慮しないでよい。
【０１４８】
基地局装置２−１は、活性化／不活性化を示すＭＡＣ制御要素（Ａｃｔｉｖａｔｉｏｎ／Ｄｅａｃｔｉｖａｔｉｏｎ  ＭＡＣ−ＣＥ）を生成し、端末装置１に対して送信する（ステップＳ３０１）。基地局装置２−１は、活性化／不活性化を示すＭＡＣ制御要素として、図１３に示したフォーマットを用いることができる。
【０１４９】
基地局装置２−１から活性化／不活性化を示すＭＡＣ制御要素を受信した場合、端末装置１は、ＭＣＧに属するセカンダリセルのみを、活性化／不活性化の対象となるセルとみなして制御（処理）を行う（ステップＳ３０２）。すなわち、端末装置１は、基地局装置２−１から受信した活性化／不活性化を示すＭＡＣ制御要素内のセルインデックス情報フィールドのうち、端末装置１に対してＭＣＧセルとして設定されているセカンダリセルに対応するセルインデックス情報フィールドに従って活性化／不活性化の制御を行う。
【０１５０】
また、端末装置１は、ＭＣＧセルとして設定されているセカンダリセルに対応するセルインデックス情報フィールド以外のセルインデックス情報フィールドを無視してもよいし、リザーブビットとみなしてもよい。
【０１５１】
または、端末装置１は、ＳＣＧセルとして設定されているセカンダリセルに対応するセルインデックス情報フィールドを無視してもよいし、リザーブビットとみなしてもよい。
【０１５２】
例えば、図４に示すセルインデックスが端末装置１に割り当てられているときに、セカンダリセル＃１を活性化し、また、セカンダリセル＃２を不活性化の状態に変更するような場合、基地局装置２−１は、Ｃ（ｉ）フィールドに対して、Ｃ（１）には「１（活性化）」、Ｃ（２）には「０（不活性化）」を設定して送信する。Ｃ（３）〜Ｃ（７）は端末装置１で考慮されない（または、無視される）ため、「０」または「１」のどちらが設定されてもよいが、デバッグなどの目的のために「０」または「１」のどちらか一方に統一して設定されることが望ましい。
【０１５３】
また、基地局装置２−２は、ステップＳ３０３において、ＳＣＧセルの中から活性化および／または不活性化の対象となるセルを決定する。基地局装置２−２は、基地局装置２−１におけるＭＣＧセルの状態については考慮しないでよい。
【０１５４】
基地局装置２−２は、活性化／不活性化を示すＭＡＣ制御要素を生成し、端末装置１に対して送信する（ステップＳ３０４）。基地局装置２−２は、活性化／不活性化を示すＭＡＣ制御要素として、図１１に示したフォーマットを用いることができる。
【０１５５】
基地局装置２−２から活性化／不活性化を示すＭＡＣ制御要素を受信した場合、端末装置１は、ＳＣＧに属するセカンダリセルののみを、活性化／不活性化の対象となるセルとみなして制御（処理）を行う（ステップＳ３０５）。すなわち、端末装置１は、基地局装置２−２から受信した活性化／不活性化を示すＭＡＣ制御要素内のセルインデックス情報フィールドのうち、端末装置１に対してＳＣＧセルとして設定されているセカンダリセルに対応するセルインデックス情報フィールドに従って活性化／不活性化の制御を行う。
【０１５６】
また、端末装置１は、ＳＣＧセルとして設定されているセカンダリセルに対応するセルインデックス情報フィールド以外のセルインデックス情報フィールドを無視してもよいし、リザーブビットとみなしてもよい。
【０１５７】
または、端末装置１は、ＭＣＧセルとして設定されているセカンダリセルに対応するセルインデックス情報フィールドを無視してもよいし、リザーブビットとみなしてもよい。
【０１５８】
例えば、図４に示すセルインデックスが端末装置１に割り当てられているときに、セカンダリセル＃４を活性化の状態に変更するような場合、基地局装置２−２は、Ｃ（ｉ）フィールドに対して、Ｃ（４）には「１（活性化）」を設定して送信する。Ｃ（１）〜Ｃ（２）、Ｃ（５）〜Ｃ（７）は端末装置１で考慮されない（または、無視される）ため、「０」または「１」のどちらが設定されてもよいが、デバッグなどの目的のために「０」または「１」のどちらか一方に統一して送信されることが望ましい。
【０１５９】
なお、また、プライマリセカンダリセルに対応するセルインデックス（図４の例ではセルインデックス＃３（Ｃ（３）））は常に「１」が設定されてもよいし、プライマリセカンダリセルが常に活性化されることを考慮し、端末装置１において、プライマリセカンダリセルに対応するセルインデックス情報フィールドを考慮せずに無視してもよいし、リザーブビットとみなしてもよい。端末装置１がプライマリセカンダリセルに対応するセルインデックス情報フィールドを考慮しない場合、基地局装置２−２は、プライマリセカンダリセルに対応するセルインデックスに「０」を設定してもよい。
【０１６０】
図７におけるステップＳ３００〜ステップＳ３０２の手順と、ステップＳ３０３〜ステップＳ３０５の手順とは、それぞれ独立に実施されてよい。例えば、ステップＳ３００〜ステップＳ３０２の手順よりも先、または途中にステップＳ３０３〜ステップＳ３０５の手順が開始されてもよい。
【０１６１】
＜ＳＣＧセル無線リソース設定＞
基地局装置２は、ＳＣＧセルを追加する場合、追加するＳＣＧセルに対応するセルインデックス番号をＳＣＧセルの設定（コンフィギュレーション）に含めて端末装置１に通知する。なお、上述したように、基地局装置２は、プライマリセカンダリセルのセルインデックス番号を明示的に通知しないことによって、暗黙的に指定のセルインデックス番号（例えばセルインデックス＃１など）を割り当てることも可能である。
【０１６２】
基地局装置２は、明示的、または暗黙的にＳＣＧセルのセルインデックス番号を指定することによって、ＳＣＧセルの設定の変更、および／またはＳＣＧセルの設定の削除（リリース）の対象となるＳＣＧセルについて端末装置１へ通知することができる。端末装置１に対するＳＣＧセルの設定の追加、変更、削除の指示は、ＲＲＣメッセージを用いて通知される。
【０１６３】
基地局装置２は、端末装置１のプライマリセカンダリセルをリリースする場合に、端末装置１に対してプライマリセカンダリセル以外のＳＣＧセルがセカンダリセルとして設定されている場合、端末装置１のプライマリセカンダリセルのセルインデックス番号と、プライマリセカンダリセル以外のＳＣＧセルのセルインデックス番号を全て含めてリリースを通知してもよいし、端末装置１のプライマリセカンダリセルのセルインデックス番号のみを含めてリリースを通知してもよい。
【０１６４】
端末装置１は、基地局装置２から一つまたは複数のリリース対象のＳＣＧセルを示すセルインデックス情報（セルインデックスリスト）を設定した情報を受信した場合、対応する端末装置１のＳＣＧセルの設定をリリースする。また、端末装置１は、リリース対象となるＳＣＧセルを示すセルインデックス情報がプライマリセカンダリセルに対応するものである場合、プライマリセカンダリセル以外のＳＣＧセルが設定されていたとしても、全てのＳＣＧセルについてリリースが通知されたとみなしてもよい。
【０１６５】
このように構成することによって、端末装置１と基地局装置２は、基地局装置２−１と基地局装置２−２との間でセカンダリセルに関するセルインデックス情報をやり取り（交換、共有）することが可能となるため、端末装置１に割り当てられるセカンダリセルのセルインデックス番号が調整され、同じセルインデックス番号が同一の端末装置に割り当てられてしまうという問題を回避できる。
【０１６６】
本実施形態の端末装置１は、デュアルコネクティビティ中におけるＭＣＧセルとＳＣＧセルに関し、通知されたセルインデックス番号を用いたパワーヘッドルーム報告を行うことができる。また、本実施形態の基地局装置２は、デュアルコネクティビティ中におけるＭＣＧセルとＳＣＧセルに関し、設定したセルインデックス番号を用いた活性化／不活性化の制御を行うことができる。
【０１６７】
第１の実施形態によれば、端末装置１は、セカンダリセルの活性化および／または不活性化を指示するＭＡＣ制御要素に従って、受信したセルグループのセルの状態を適切に変更する制御手段を備えるため、効率的にセルの状態を制御できる。また、端末装置１は、通知されたセルインデックス番号に対応するそれぞれのセルについて、一つのＭＡＣ制御要素を用いてタイプ１またはタイプ２のパワーヘッドルームを報告する制御手段を備えるため、効率的にセルの状態を報告できる。また、端末装置１は、通知されたセルインデックス番号に対応するそれぞれのセルの無線リソース設定について、セルインデックスを用いて設定する制御手段を備えるため、効率的にＳＣＧセルの無線リソース設定を管理できる。
【０１６８】
また、基地局装置２は、セルインデックス情報について基地局装置２間でやり取り（調整）することによって、基地局装置２間においてセルインデックスの重複を回避する制御手段を備えるため、効率的にセルの状態を制御できる。
【０１６９】
＜第２の実施形態＞
本発明の第２の実施形態について以下に説明する。
【０１７０】
第１の実施形態において、基地局装置２間でセカンダリセルのセルインデックス情報のやり取り（調整）する必要があるのは、従来のパワーヘッドルームの報告形式、および、セカンダリセルの活性化／不活性化に関して、同じセルインデックスが設定されることを想定していないためである。そこで、第２の実施形態は、同じセルインデックス番号が端末装置１に設定された場合であっても、端末装置１においてそれぞれ適切に制御を行うことが可能な制御方法について示す。
【０１７１】
第２の実施形態の端末装置１と基地局装置２の構成は第１の実施形態と同じ構成でよいため説明を省略する。
【０１７２】
図８は、第２の実施形態における、基地局装置２から端末装置１に通知されるセルインデックス（セルインデックス番号）の割り当ての一例を示す図である。第１の実施の形態と異なり、基地局装置２−１と基地局装置２−２との間で事前にセルインデックス情報をやり取りする必要はなく、その結果、端末装置１に設定するセルインデックスが重複している場合がある。
【０１７３】
例えば、端末装置１に対し、ＭＣＧのセルとして、プライマリセルとセカンダリセル＃１とセカンダリセル＃２が設定され、ＳＣＧのセルとして、セカンダリセル＃３とセカンダリセル＃４が設定されている。なお、セカンダリセル＃３はプライマリセカンダリセルである。
【０１７４】
このとき、端末装置１に対し、セルインデックス番号として、プライマリセルにはセルインデックス＃０、セカンダリセル＃１にはセルインデックス＃１、セカンダリセル＃２にはセルインデックス＃２、セカンダリセル＃３にはセルインデックス＃１、セカンダリセル＃４にはセルインデックス＃２が設定されている。なお、プライマリセルのセルインデックスは、静的にセルインデックス＃０が割り当てられる。
【０１７５】
なお、基地局装置２は、プライマリセカンダリセルのセルインデックスを、端末装置１毎に個別に割り当てるのではなく、静的にセルインデックス番号を割り当ててもよく、その場合の制御方法は第１の実施形態と同じである。
【０１７６】
このように、事前にマスター基地局装置とセカンダリ基地局装置との間で端末装置１に設定するセルインデックス番号の割り当ての調整を行わない場合における、セルインデックス番号を用いたそれぞれの制御方法について、以下に詳細な説明を行う。
【０１７７】
＜ＰＨ報告＞
図９は、第２の実施形態における、端末装置１から基地局装置２（基地局装置２−１、基地局装置２−２）に送信されるＳＣＧセルのパワーヘッドルームの報告形式について説明するための図である。端末装置１は、パワーヘッドルームがトリガされるタイミングとして、図５で説明した手順に従ってよい。
【０１７８】
図９における１行はそれぞれ１オクテット長（８ビット）に対応している。パワーヘッドルームがトリガされた場合、端末装置１は、報告するプライマリセカンダリセルとＳＣＧのセカンダリセルのセルインデックス（Ｃ（ｉ）、ｉ＝1、２、・・・、７）を含むビットマップ情報のフィールド、プライマリセカンダリセルのタイプ２ＰＨのフィールド、プライマリセカンダリセルのタイプ１ＰＨのフィールド、および、活性化しているＳＣＧのセカンダリセルのタイプ１ＰＨのフィールドを、それぞれ図９に示した順に配置して（含めて）ＭＡＣ制御要素を生成し、生成したＭＡＣ制御要素を基地局装置２へ送信することで、パワーヘッドルームを報告する。端末装置１は、それぞれのセルのパワーヘッドルームの報告と共にかかるセルのＮｏｍｉｎａｌ電力（Ｐｃｍａｘと称する）を報告してもよい。
【０１７９】
なお、プライマリセカンダリセルのパワーヘッドルームの報告が常に含まれることを考慮して、端末装置１は、図９におけるプライマリセカンダリセルに対応するセルインデックスのビットマップ情報のフィールド（Ｃ（ｉ））にビットを設定しなくてもよい。すなわち、かかるプライマリセカンダリセルに対応するセルインデックスのビットマップ情報のフィールド（Ｃ（ｉ））を「０」に設定してもよい。例えば、プライマリセカンダリセルに対応するセルインデックスにセルインデックス＃３が設定されていた場合であっても、Ｃ（３）に「０」を設定してもよい。
【０１８０】
または、端末装置１は、プライマリセカンダリセルに対応するセルインデックスのビットマップ情報のフィールド（Ｃ（ｉ））にビットを含め、更に、プライマリセカンダリセルのタイプ１ＰＨの報告値を、プライマリセカンダリセルのタイプ１ＰＨのフィールドと、活性化しているセカンダリセルのタイプ１ＰＨのフィールド内にそれぞれ含めて報告する。
【０１８１】
例えば、パワーヘッドルームの報告がトリガされた場合に、セカンダリセル＃３（プライマリセカンダリセル、セルインデックス＃１）と、セカンダリセル＃４（セルインデックス＃２）が活性化されている場合、端末装置１は、図９におけるセルインデックスのビットマップ情報のフィールドに対して、Ｃ（１）とＣ（２）のビットには「１」を設定し、Ｃ（３）〜Ｃ（７）のビットには「０」を設定する。また、プライマリセカンダリセルのタイプ２ＰＨのフィールドに対してセルインデックス＃１のタイプ２ＰＨの値を含め、プライマリセカンダリセルのタイプ１ＰＨのフィールドに対してセルインデックス＃１のタイプ１ＰＨの値を含める。
【０１８２】
そして、また、活性化しているセカンダリセルのタイプ１ＰＨのフィールドに対して、セルインデックス＃１のタイプ１ＰＨの値とセルインデックス＃２のタイプ１ＰＨの値を順に含める。すなわち、この場合、プライマリセカンダリセルのタイプ１ＰＨは同一のＭＡＣ制御要素内の異なる２つのフィールドに含まれて報告される。
【０１８３】
端末装置１は、図９に示すＳＣＧセルのパワーヘッドルームの報告形式と、図１３に示したＭＣＧセルのパワーヘッドルームの報告形式とをセットにして基地局装置２へ報告する。すなわち、端末装置１は、デュアルコネクティビティによる通信において、パワーヘッドルームがトリガされた場合、ＭＣＧセルのパワーヘッドルーム報告のＭＡＣ制御要素と、ＳＣＧセルのパワーヘッドルーム報告のＭＡＣ制御要素とそれぞれ生成し、これら２つのＭＡＣ制御要素をそれぞれＭＡＣ  ＰＤＵ内に配置して送信する。なお、それぞれのＭＡＣ制御要素は連続してＭＡＣ  ＰＤＵ内に配置されることが望ましい。
【０１８４】
また、基地局装置２は、デュアルコネクティビティによる通信において、端末装置１から送信されたＭＡＣ  ＰＤＵを受信し、かかるＭＡＣ  ＰＤＵ内にパワーヘッドルーム報告のＭＡＣ制御要素が２つ配置されていた場合、ＭＣＧセルのパワーヘッドルーム報告のＭＡＣ制御要素と、ＳＣＧセルのパワーヘッドルーム報告のＭＡＣ制御要素がそれぞれ配置されているとみなし（判断し）、それぞれのパワーヘッドルームを受信する。
【０１８５】
各セルグループのＭＡＣ制御要素をそれぞれ配置する場合、従来の報告形式を再利用することができるため、例えばＭＡＣ層における変更は最小限となるが、ＭＡＣ制御要素に対応するＭＡＣヘッダーがＭＡＣ  ＰＤＵに２つ含まれることになるため、ＭＡＣヘッダー分のオーバーヘッドが発生する。そこで、端末装置１は、ＭＣＧセルのパワーヘッドルーム報告とＳＣＧセルのパワーヘッドルーム報告とを一つのＭＡＣ制御要素に含めて報告してもよい。
【０１８６】
図１０は、端末装置１は、ＭＣＧセルのパワーヘッドルーム報告とＳＣＧセルのパワーヘッドルーム報告とを一つのＭＡＣ制御要素に含めた場合の報告形式について説明するための図である。
【０１８７】
図１０の前半のフィールドにはＭＣＧセルに関するパワーヘッドルーム報告が含まれ、後半のフィールドにはＳＣＧセルに関するパワーヘッドルーム報告が含まれる。それぞれのフィールドに含まれる詳細な情報は、図９、図１３に示した説明に従うため、ここでは説明を省略する。
【０１８８】
＜アクティベーション／ディアクティベーション＞
第１の実施形態と異なる制御方法についてのみ説明する。
【０１８９】
本実施形態において、基地局装置２−１と基地局装置２−２は、基地局装置２間で調整せずにセルインデックスを端末装置１に設定することが可能であるが、端末装置１における活性化／不活性化の制御方法の変更を少なくするために、プライマリセカンダリセルのセルインデックス番号を静的に割り当ててもよい。
【０１９０】
具体的には、基地局装置２は、端末装置１に対し、プライマリセカンダリセルのセルインデックス番号として、静的にセルインデックス＃０を割り当ててもよい。すなわち、デュアルコネクティビティにおいて、セルインデックス＃０は、プライマリセルとプライマリセカンダリセルに対して事前に予約されているとみなすことができる。
【０１９１】
この場合、基地局装置２は、端末装置１に対し、プライマリセカンダリセルのセルインデックス番号を明示的に通知しないでもよい。端末装置１は、セルインデックス＃０が割り当てられたＭＣＧセルをプライマリセルとみなして制御を行ってもよい。また、端末装置１は、セルインデックス＃０が割り当てられたＳＣＧセルをプライマリセカンダリセルとみなして制御を行ってもよい。
【０１９２】
そして、端末装置１は、受信したセルが属するセルグループのセカンダリセルについてのみセルの状態を制御する。換言すれば、活性化／不活性化を示すＭＡＣ制御要素に含まれるセルインデックスのうち、かかるセルグループに対応するセルインデックスのビットのみを考慮すればよい。
【０１９３】
端末装置１と基地局装置２は、プライマリセカンダリセルのセルインデックス番号として静的な番号（＃０）を設定することによって、活性化／不活性化を示すＭＡＣ制御要素に含まれるセルインデックスのＣ（ｉ）フィールドによるプライマリセカンダリセルの活性化／不活性化を考慮する必要がなくなるため、制御が簡単になる。
【０１９４】
＜ＳＣＧセル無線リソース設定＞
第１の実施形態と異なる制御方法についてのみ説明する。
【０１９５】
本実施形態において、基地局装置２−１と基地局装置２−２は、基地局装置２間で調整せずにセルインデックスを端末装置１に設定することが可能であるが、端末装置１における無線リソース設定の制御方法の変更を少なくするために、プライマリセカンダリセルのセルインデックス番号を静的に割り当ててもよい。
【０１９６】
具体的には、基地局装置２は、端末装置１に対し、プライマリセカンダリセルのセルインデックス番号として、静的にセルインデックス＃０を割り当ててもよい。すなわち、デュアルコネクティビティにおいて、セルインデックス＃０は、プライマリセルとプライマリセカンダリセルに対して事前に予約されているとみなすことができる。
【０１９７】
この場合、基地局装置２は、端末装置１に対し、プライマリセカンダリセルのセルインデックス番号を明示的に通知しないでもよい。端末装置１は、セルインデックス＃０が割り当てられたＭＣＧセルをプライマリセルとみなして制御を行ってもよい。また、端末装置１は、セルインデックス＃０が割り当てられたＳＣＧセルをプライマリセカンダリセルとみなして制御を行ってもよい。
【０１９８】
このように構成することによって、端末装置１と基地局装置２は、同じセルインデックス番号が同一の端末装置に割り当てられている場合であっても、端末装置１からのセルインデックスを用いたパワーヘッドルーム報告、および、端末装置１に対するセルインデックスを用いたセルの活性化／不活性化の制御を適切に行うことが可能となる。
【０１９９】
本実施形態の端末装置１は、デュアルコネクティビティ中におけるＭＣＧセルとＳＣＧセルに関し、通知されたセルインデックス番号を用いたパワーヘッドルーム報告を行うことができる。また、本実施形態の基地局装置２は、デュアルコネクティビティ中におけるＭＣＧセルとＳＣＧセルに関し、設定したセルインデックス番号を用いた活性化／不活性化の制御を行うことができる。
【０２００】
第２の実施形態によれば、端末装置１は、セカンダリセルの活性化および／または不活性化を指示するＭＡＣ制御要素に従って、受信したセルグループのセルの状態を適切に変更する制御手段を備えるため、効率的にセルの状態を制御できる。また、端末装置１は、通知されたセルインデックス番号に対応するそれぞれのセルについて、セルグループ毎のＭＡＣ制御要素を用いてタイプ１またはタイプ２のパワーヘッドルームを報告する制御手段を備えるため、効率的にセルの状態を報告できる。また、端末装置１は、通知されたセルインデックス番号に対応するそれぞれのセルの無線リソース設定について、セルインデックスを用いて設定する制御手段を備えるため、効率的にＳＣＧセルの無線リソース設定を管理できる。
【０２０１】
また、基地局装置２は、セルインデックス情報について基地局装置２間で事前にやり取り（調整）する必要が無くなるため、効率的にセルの状態を制御できる。
【０２０２】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータの名称は、説明の便宜上呼称しているものであって、実際に適用されるパラメータ名称と本発明の実施形態のパラメータ名称とが異なっていても、本発明の実施形態において主張する発明の趣旨に影響するものではない。
【０２０３】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０２０４】
また、端末装置１とは、可搬型あるいは可動型の移動局装置のみならず、屋内外に設置される据え置き型、または非可動型の電子機器、たとえば、携帯電話、パーソナルコンピューター、タブレット型端末、ＡＶ機器、キッチン機器、掃除・洗濯機器、空調機器、オフィス機器、自動販売機、その他生活機器や測定機器、車載装置、さらに身に着けることが可能なウェアラブル機器やヘルスケア機器などの通信機能を搭載したもの全てを含む。また、端末装置１は、人対人または人対機器の通信だけではなく、機器対機器の通信（Ｍａｃｈｉｎｅ  Ｔｙｐｅ  Ｃｏｍｍｕｎｉｃａｔｉｏｎ、マシンタイプ通信）や、デバイス対デバイスの通信（Ｄｅｖｉｃｅ  ｔｏ  Ｄｅｖｉｃｅ  Ｃｏｍｍｕｎｉｃａｔｉｏｎ；Ｄ２Ｄ）にも用いられる。
【０２０５】
端末装置１は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置２は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０２０６】
なお、基地局装置２は、３ＧＰＰが規定するＵＭＴＳにおいてＮＢと称され、ＥＵＴＲＡおよびＡｄｖａｎｃｅｄ  ＥＵＴＲＡにおいてｅＮＢと称される。なお、３ＧＰＰが規定するＵＭＴＳ、ＥＵＴＲＡおよびＡｄｖａｎｃｅｄ  ＥＵＴＲＡにおける端末装置１はＵＥと称される。
【０２０７】
また、説明の便宜上、実施形態の端末装置１および基地局装置２を機能的なブロック図を用いて、端末装置１および基地局装置２の各部の機能またはこれらの機能の一部を実現するための方法、手段、またはアルゴリズムのステップについて説明したが、これらは、ハードウェア、プロセッサによって実行されるソフトウェアモジュール、またはこれら２つを組み合わせたものによって、直接的に具体化され得る。
【０２０８】
もしハードウェアによって実装されるのであれば、端末装置１および基地局装置２は説明したブロック図の構成以外に端末装置１および基地局装置２へ電力を供給する給電装置やバッテリー、液晶などのディスプレイ装置及びディスプレイ駆動装置、メモリ、入出力インターフェース及び入出力端子、スピーカー、その他の周辺装置によって構成されてもよい。
【０２０９】
もしソフトウェアによって実装されるのであれば、その機能は、コンピュータ読み取り可能な媒体上の一つ以上の命令またはコードとして保持され、または伝達され得る。コンピュータ読み取り可能な媒体は、コンピュータプログラムをある場所から別の場所への持ち運びを助ける媒体を含むコミュニケーションメディアやコンピュータ記録メディアの両方を含む。
【０２１０】
そして、一つ以上の命令またはコードをコンピュータ読み取り可能な記録媒体に記録し、この記録媒体に記録された一つ以上の命令またはコードをコンピュータシステムに読み込ませ、実行することにより端末装置１や基地局装置２の制御を行なってもよい。なお、ここでいう「コンピュータシステム」とは、ＯＳや周辺機器等のハードウェアを含むものとする。
【０２１１】
本発明の各実施形態に記載の動作をプログラムで実現してもよい。本発明の各実施形態に関わる端末装置１および基地局装置２で動作するプログラムは、本発明の各実施形態に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。
【０２１２】
また、プログラムを実行することにより、上述した実施形態の機能が実現されるだけでなく、そのプログラムの指示に基づき、オペレーティングシステムあるいは他のアプリケーションプログラム等と共同して処理することにより、本発明の各実施形態の機能が実現される場合もある。
【０２１３】
また、「コンピュータ読み取り可能な記録媒体」とは、半導体媒体（例えば、ＲＡＭ、不揮発性メモリカード等）、光記録媒体（例えば、DVD、MO、MD、CD、BD等）、磁気記録媒体（例えば、磁気テープ、フレキシブルディスク等）等の可搬媒体、コンピュータシステムに内蔵されるディスクユニット等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【０２１４】
また、上記プログラムは、前述した機能の一部を実現するためのものであってもよく、さらに、前述した機能をコンピュータシステムに既に記録されているプログラムとの組み合わせで実現できるものであってもよい。
【０２１５】
また、上記各実施形態に用いた端末装置１および基地局装置２の各機能ブロック、または諸特徴は、本明細書で述べられた機能を実行するように設計された汎用用途プロセッサ、デジタルシグナルプロセッサ（ＤＳＰ）、特定用途向けあるいは一般用途向けの集積回路（ＡＳＩＣ）、フィールドプログラマブルゲートアレイシグナル（ＦＰＧＡ）、またはその他のプログラマブル論理デバイス、ディスクリートゲートまたはトランジスタロジック、ディスクリートハードウェア部品、またはこれらを組み合わせたものによって、実装または実行され得る。
【０２１６】
汎用用途プロセッサは、マイクロプロセッサであってもよいが、代わりにプロセッサは従来型のプロセッサ、コントローラ、マイクロコントローラ、またはステートマシンであってもよい。汎用用途プロセッサ、または上述した各回路は、デジタル回路で構成されていてもよいし、アナログ回路で構成されていてもよいし、デジタル回路とアナログ回路を組み合わせて構成されていてもよい。
【０２１７】
また、プロセッサはコンピューティングデバイスを組み合わせたものとして実装されてもよい。例えば、ＤＳＰとマイクロプロセッサ、複数のマイクロプロセッサ、ＤＳＰコアと接続された一つ以上のマイクロプロセッサ、またはその他のそのような構成を組み合わせたものである。
【０２１８】
以上、この発明の実施形態について具体例に基づいて詳述してきたが、本発明の各実施形態の趣旨ならびに特許請求の範囲は、これらの具体例に限定されないことは明らかであり、この発明の要旨を逸脱しない範囲の設計変更等も含まれる。すなわち、本明細書の記載は例示説明を目的としたものであり、本発明の各実施形態に対して何ら制限を加えるものではない。
【０２１９】
また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も本発明の技術的範囲に含まれる。
【産業上の利用可能性】
【０２２０】
本発明のいくつかの態様は、効率的に複数のセルの状態を制御することが必要な端末装置、基地局装置、通信システム、制御方法および集積回路などに適用することができる。
【符号の説明】
【０２２１】
１…端末装置
２、２−１、２−２…基地局装置
１０１、２０１…受信部
１０２、２０２…復調部
１０３、２０３…復号部
１０４、２０４…受信データ制御部
１０５、２０５…物理レイヤ制御部
１０６、２０６…送信データ制御部
１０７、２０７…符号部
１０８、２０８…変調部
１０９、２０９…送信部
１１０、２１０…無線リソース制御部
２１１…ネットワーク信号送受信部
【図１】
0006503616.tif 000002
【図２】
0006503616.tif 000003
【図３】
0006503616.tif 000004
【図４】
0006503616.tif 000005
【図５】
0006503616.tif 000006
【図６】
0006503616.tif 000007
【図７】
0006503616.tif 000008
【図８】
0006503616.tif 000009
【図９】
0006503616.tif 000010
【図１０】
0006503616.tif 000011
【図１１】
0006503616.tif 000012
【図１２】
0006503616.tif 000013
【図１３】
0006503616.tif 000014